(57)【要約】【課題】ＵＭＴＳと他のシステムが共存する場合であっても、ＵＭＴＳから他のシステムの周波数成分を確実に観測して、その際に、圧縮モードフレームのインタリーブ性能の劣化を抑制することが可能な移動体無線通信システムを得ること。【解決手段】本発明の移動体無線通信システムは、特定数のフレームの伝送にかかる期間を伝送周期とし、当該伝送周期を単位としてフレーム伝送を行うＣＤＭＡ（Code Division Multiple Access）方式の移動体無線通信システムであって、たとえば、前記伝送周期毎に複数の無伝送時間を設け、当該複数の無伝送時間を用いて他の移動体無線通信システムにおける制御データ伝送チャネルの周波数成分を観測する通信装置、を備える構成とした。【選択図】        図８
2008104212.tif 000002
【特許請求の範囲】
【請求項１】
所定数のスロットからなり第１のフレーム長Ｌ１を持つ第１のフレームを第１の特定数
伝送するのに要する期間を第１の伝送周期とし、前記第１の伝送周期を単位として前記第
１のフレームを連続的に送信する送信機と、該送信機が送信する前記第１のフレームを受
信する受信機とを備えたＣＤＭＡ（Code  Division  Multiple  Access）方式の第１の通
信システムと、
第２のフレーム長Ｌ２を持つ第２のフレームを第２の特定数伝送するのに要する期間で
あり前記第１の伝送周期の整数倍でない期間、を第２の伝送周期とする通信方式でフレー
ム伝送を行う第２の通信システムと、
が共存する移動体無線通信システムにおける前記第１の通信システムの受信機が採用す
る移動体無線通信方法において、
前記第１の通信システムの送信機が、前記第１の伝送周期内の複数の前記第１のフレー
ムを圧縮し該圧縮された前記第１のフレームの一を２分割して一方を当該フレームタイミ
ングの先頭に、他方を当該フレームタイミングの末尾に割り当てることにより前記第１の
伝送周期内に複数の無伝送時間を設け、一の無伝送時間と他の無伝送時間との対応する部
分同士の間隔である無伝送時間間隔が前記第２のフレーム長Ｌ２を所定の偶数で除した値
に奇数を乗じた値に相当するように前記無伝送時間間隔を前記スロット数単位で決定し、
該決定した無伝送時間間隔で無伝送時間を配置して当該受信機に送信した前記第１のフレ
ーム、を受信する受信ステップと、
前記無伝送時間中に、前記第２の通信システムの制御データ伝送チャネルを観測する観
測ステップと、
を備えることを特徴とする移動体無線通信方法。
【請求項２】
前記受信ステップにおいて受信する第１のフレームは、前記第１の通信システムの送信
機が前記第１の伝送周期内に前記第１のフレーム長Ｌ１の１／２以下の長さを持つＰ個（
Ｐは偶数）の前記無伝送時間を設けるとともに前記無伝送時間間隔が（Ｌ２／Ｐ）×（Ｐ
×ｎ＋１）（ｎは自然数）に最も近くなるように前記無伝送時間間隔を前記スロット数単
位で決定し、該決定した無伝送時間間隔で無伝送時間を配置して当該受信機に送信した前
記第１のフレームである、ことを特徴とする請求項１に記載の移動体無線通信方法。
【請求項３】
所定数のスロットからなり第１のフレーム長Ｌ１を持つ第１のフレームを第１の特定数
伝送するのに要する期間を第１の伝送周期とし、前記第１の伝送周期を単位として前記第
１のフレームを連続的に送信する送信機と、該送信機が送信する前記第１フレームを受信
する受信機とを備えたＣＤＭＡ（Code  Division  Multiple  Access）方式の第１の通信
システムと、
第２のフレーム長Ｌ２を持つ第２のフレームを第２の特定数伝送するのに要する期間で
あり前記第１の伝送周期の整数倍でない期間、を第２の伝送周期とする通信方式でフレー
ム伝送を行う第２の通信システムと、
が共存する移動体無線通信システムにおける前記第１の通信システムの受信機において
、
前記第１の通信システムの送信機が、前記第１の伝送周期内の複数の前記第１のフレー
ムを圧縮し該圧縮された前記第１のフレームの一を２分割して一方を当該フレームタイミ
ングの先頭に、他方を当該フレームタイミングの末尾に割り当てることにより前記第１の
伝送周期内に複数の無伝送時間を設け、一の無伝送時間と他の無伝送時間との対応する部
分同士の間隔である無伝送時間間隔が前記第２のフレーム長Ｌ２を所定の偶数で除した値
に奇数を乗じた値に相当するように前記無伝送時間間隔を前記スロット数単位で決定し、
該決定した無伝送時間間隔で無伝送時間を配置して当該受信機に送信した前記第１のフレ
ーム、を受信し、
前記無伝送時間中に、前記第２の通信システムの制御データ伝送チャネルを観測するこ
とを特徴とする受信機。
【請求項４】
前記受信する第１のフレームは、前記第１の通信システムの送信機が前記第１の伝送周
期内に前記第１のフレーム長Ｌ１の１／２以下の長さを持つＰ個（Ｐは偶数）の前記無伝
送時間を設けるとともに前記無伝送時間間隔が（Ｌ２／Ｐ）×（Ｐ×ｎ＋１）（ｎは自然
数）に最も近くなるように前記無伝送時間間隔を前記スロット数単位で決定し、該決定し
た無伝送時間間隔で無伝送時間を配置して当該受信機に送信した前記第１のフレームであ
る、ことを特徴とする請求項３に記載の受信機。
【発明の詳細な説明】
【技術分野】
【０００１】
本発明は、ＵＭＴＳ（Ｕｎｉｖｅｒｓａｌ  Ｍｏｂｉｌｅ  Ｔｅｒｒｅｓｔｉａｌ  Ｃ
ｏｍｍｕｎｉｃａｔｉｏｎ  Ｓｙｓｔｅｍ）とＧＳＭ（Ｇｒｏｕｐ  Ｓｐｅｃｉｆｉｃ  
Ｍｏｂｉｌｅ）システムとが共存する移動体無線通信システム、移動体無線通信システム
に適用される通信装置および移動体無線通信方法に関するものであり、特に、移動体無線
通信システムにおいて他システムであるＧＳＭシステムの制御チャネルを空き時間を利用
して観測するための技術に関するものである。
【背景技術】
【０００２】
ＣＤＭＡセルラシステムでは、同一キャリア周波数をどのセルでも繰り返し使用してい
るため、同一システム内では周波数間ハンドオーバの必要性はない。しかしながら、既存
のシステムとの共存の場合等を考えると、異なるキャリア周波数間でのハンドオーバが必
要となる。以下に具体的な場合を３点挙げる。
【０００３】
第１点としては、トラヒックの多いセルでは、加入者数増大のために別のキャリア周波
数が用いられており、そのセル間でハンドオーバする場合である。第２点としては、アン
ブレラセル構成時には、大小のセルに異なるキャリア周波数が割り当てられており、その
セル間でハンドオーバする場合である。そして、第３点としては、広帯域移動体無線通信
システムのような第３世代システムと、現行の携帯電話システムのような第２世代システ
ムの間でハンドオーバする場合である。
【０００４】
以上のような場合にハンドオーバが行われることになり、その際には異なる周波数のキ
ャリアの電力を検出する必要がある。この検出を実現するには、受信機が２つの周波数を
検波できる構造を所持していればよいが、これにより受信機の構成が大きくなるか構成が
複雑になる。
【０００５】
また、ハンドオーバの方法として、移動機主導のハンドオーバ（Ｍｏｂｉｌｅ  Ａｓｓ
ｉｓｔｅｄ  Ｈａｎｄｏｖｅｒ：ＭＡＨＯ）とネットワーク主導のハンドオーバ（Ｎｅｔ
ｗｏｒｋ  Ａｓｓｉｓｔｅｄ  Ｈａｎｄｏｖｅｒ：ＮＡＨＯ）の２種類が考えられる。Ｍ
ＡＨＯとＮＡＨＯとを比較すると、ＮＡＨＯの方が移動機の負担は小さくなるが、そのた
めに、移動機と基地局間の同期が必要となる。また、一つ一つの移動機を追跡できるよう
に基地局／ネットワークの構成が複雑かつ巨大化する。
【０００６】
このようなことから、ＭＡＨＯの実現が望まれることになるが、ハンドオーバをする／
しないの判断のため、移動機では２つの異なる周波数キャリアの強度を観測する必要があ
る。しかしながら、ＣＤＭＡセルラシステムは、第２世代で用いられている時分割多元接
続（ＴＤＭＡ）方式と違って、送信／受信ともに通常は連続送信の形態を用いている。こ
の連続送信技術には、２つの周波数の受信装置を用意しない限り、送信あるいは受信タイ
ミングを停止させて他の周波数を観測する必要があった。
【０００７】
今日までに、通常モードでの送信情報を時間圧縮して短時間に伝送し、他に時間的余裕
を作って他の周波数キャリアを観測する、という圧縮モード（Ｃｏｍｐｒｅｓｓｅｄ  Ｍ
ｏｄｅ）に関する技術が提案されている。その一例として、特許文献１に記載の「ＤＳ−
移動体無線通信システムにおけるシームレス・ハンドオーバのための不連続送信」がある
。この文献には、使用する拡散符号の拡散率を下げることにより、送信する時間を短縮す
る圧縮モードの実現手法が開示されている。
【０００８】
ここで、上述した文献による圧縮モードの実現手法について説明する。図１３には、従
来の移動体無線通信システムにおける通常のモードおよび圧縮モードでの送信例が示され
ている。図１３において、縦軸は伝送速度／送信電力を示し、横軸は時間を示している。
図１３の例では、通常伝送のフレーム間に、圧縮モード伝送が挿入されている。この圧縮
モード時の伝送では、下りフレーム内に無伝送時間が設けられており、その時間は任意に
設定可能である。この無伝送時間は、他周波数キャリアの強度を測定するために設定され
るアイドル時間を指す。このように、圧縮モードフレーム伝送の間にアイドル時間が挿入
されることで、スロット化伝送が実現される。
【０００９】
このような圧縮モード伝送では、アイドル時間とフレーム（圧縮モードフレーム）伝送
時間との時間比に応じて送信電力が増加されるため、図１３に示したように、通常伝送時
のフレームに比べて圧縮モードフレームの方が高い送信電力で伝送される。これにより、
圧縮モードでのフレーム伝送においても伝送品質を保つことができる。
【００１０】
【特許文献１】特表平８−５００４７５号公報
【発明の開示】
【発明が解決しようとする課題】
【００１１】
通常、ＧＳＭ−ＧＳＭ間では、１スーパーフレーム毎に割り当てられる１回の観測時間
（無伝送時間）を使って異周波数成分（制御チャネル）の観測が行われるが、ＵＭＴＳと
ＧＳＭシステムとが共存する移動体無線通信システムを想定すると、異なるシステム間す
なわちＵＭＴＳからＧＳＭシステムの周波数成分を観測する動作が必要である。この場合
にも、ＧＳＭ−ＧＳＭ間の観測と同様に、ＵＭＴＳのスーパーフレーム中にＧＳＭの周波
数成分を観測するための空き時間が設定される。
【００１２】
すなわち、ＵＭＴＳにおけるスーパーフレームの１フレームに対してＧＳＭ−ＧＳＭ間
の観測の場合と同数のアイドルスロットからなる観測時間を割り当てる必要があるが、現
在の技術ではフレーム伝送上の誤り訂正符号や拡散率の制約から１フレーム内にすべての
観測時間を挿入することが困難になるなど問題点が多く、将来、ＵＭＴＳからＧＳＭシス
テムの周波数成分を観測するための技術が期待されている。
【００１３】
本発明は、上述した従来例による課題を解決するため、ＵＭＴＳと他のシステムが共存
しても、ＵＭＴＳから他のシステムの周波数成分を確実に観測して、その際に、圧縮モー
ドフレームのインタリーブ性能の劣化を抑制することが可能な移動体無線通信システム、
移動体無線通信システムに適用される通信装置および移動体無線通信方法を得ることを目
的とする。
【課題を解決するための手段】
【００１４】
上述した課題を解決し、目的を達成するために、本発明にかかる移動体無線通信システ
ムにあっては、複数のフレームで構成されるとともにフレームの伝送周期を表す第１のス
ーパーフレームを用いてフレーム伝送を行う符号分割多元接続方式の第１の通信システム
と、ユーザデータ伝送チャネルにおけるフレームの伝送周期を表す第２のスーパーフレー
ムの整数倍のフレーム数と、制御データ伝送チャネルにおけるフレームの伝送周期を表す
第３のスーパーフレームのフレーム数と、の差分に基づいて、下りユーザデータ伝送チャ
ネル用の第２のスーパーフレームに特定の空き時間を挿入し、該空き時間を利用して制御
データ伝送チャネルの周波数成分を観測する第２の通信システムと、が共存し、さらに、
前記第１の通信システムのフレーム伝送時に、該フレームの誤り訂正およびインタリーブ
を行う移動体無線通信システムであって、前記第１のスーパーフレームに対して、該第１
のスーパーフレームを構成する１フレームの１／２を最大とする所定の空き時間を、所定
フレーム数間隔に設け、該空き時間を利用することにより、前記第１の通信システム側か
ら前記第２の通信システムの制御データ伝送チャネルの周波数成分を観測することを特徴
とする。
【００１５】
この発明によれば、上記第１の通信システムと第２の通信システムとが共存する場合、
該第１の通信システムのスーパーフレームに対して、そのスーパーフレームを構成する１
フレーム量の１／２を最大としかつ所定フレーム数間隔で、第２の通信システムの周波数
成分を観測するための空き時間を挿入するようにしたので、１スーパーフレーム内の１回
の観測で周波数成分を観測する必要がなくなって、フレーム伝送上の誤り訂正符号や拡散
率の制約を満たすことができ、これにより、第１の通信システムと第２の通信システムが
共存しても、第１の通信システムから第２の通信システムの周波数成分を確実に観測して
、その際に、圧縮モードフレームのインタリーブ性能の劣化を抑制することが可能である
。
【００１６】
つぎの発明にかかる移動体無線通信システムは、前記第１の通信システムを、複数のフ
レームで構成されるとともにフレームの伝送周期を表す第１のスーパーフレームを用いて
フレーム伝送を行うＵＭＴＳとし、さらに、前記第２の通信システムを、前記ＵＭＴＳの
第１のスーパーフレームと等しい伝送周期の第２のスーパーフレームを用いてフレーム伝
送を行う他のシステムとすることを特徴とする。
【００１７】
この発明によれば、特に、ＵＭＴＳと他のシステムとが共存する場合、ＵＭＴＳのスー
パーフレームに対して、そのスーパーフレームを構成する１フレーム量の１／２を最大と
しかつ所定フレーム数間隔で、他のシステムの周波数成分を観測するための空き時間を挿
入するようにしたので、１スーパーフレーム内の１回の観測で周波数成分を観測する必要
がなくなって、フレーム伝送上の誤り訂正符号や拡散率の制約を満たすことができ、これ
により、ＵＭＴＳと他のシステムが共存しても、ＵＭＴＳから他のシステムの周波数成分
を確実に観測して、その際に、圧縮モードフレームのインタリーブ性能の劣化を抑制する
ことが可能である。なお、この発明によれば、上記第１のスーパーフレームが後述する実
施例の１ＵＭＴＳスーパーフレームに対応し、第２のスーパーフレームが１ＧＳＭスーパ
ーフレームに対応し、第３のスーパーフレームが１ＦＣＣＨ／ＳＣＨスーパーフレームに
対応し、ユーザデータ伝送チャネルが個別トラフィックチャネルに対応し、制御データ伝
送チャネルが共通制御チャネルに対応することになる。
【００１８】
つぎの発明にかかる移動体無線通信システムにおいて、前記所定フレーム数間隔は、前
記ＵＭＴＳと他のシステム間の伝送周期の差により決定されることを特徴とする。
【００１９】
この発明によれば、所定フレーム数間隔をＵＭＴＳと他のシステム間の伝送周期の差に
より決定するようにしたので、伝送周期の差に応じて異周波数成分を隈なく観測すること
が可能である。
【００２０】
つぎの発明にかかる移動体無線通信システムにおいて、前記所定の空き時間は、前記Ｕ
ＭＴＳのスーパーフレームの単位であるフレームの中央に配置されることを特徴とする。
【００２１】
この発明によれば、空き時間をＵＭＴＳのスーパーフレームの単位であるフレームの中
央に配置するようにしたので、インタリーブ効果を確実に取得することが可能である。
【００２２】
つぎの発明にかかる移動体無線通信システムは、複数のフレームで構成されるとともに
フレームの伝送周期を表す第１のスーパーフレームを用いてフレーム伝送を行う符号分割
多元接続方式の第１の通信システムと、ユーザデータ伝送チャネルにおけるフレームの伝
送周期を表す第２のスーパーフレームの整数倍のフレーム数と、制御データ伝送チャネル
におけるフレームの伝送周期を表す第３のスーパーフレームのフレーム数と、の差分に基
づいて、下りユーザデータ伝送チャネル用の第２のスーパーフレームに特定の空き時間を
挿入し、該空き時間を利用して制御データ伝送チャネルの周波数成分を観測する第２の通
信システムと、が共存し、さらに、前記第１の通信システムのフレーム伝送時に、該フレ
ームの誤り訂正およびインタリーブを行う移動体無線通信システムであって、前記第１の
スーパーフレームに対して、該第１のスーパーフレームを構成する１フレームの１／２を
最大とする所定の空き時間を、所定スロット数間隔に設け、該空き時間を利用することに
より、前記第１の通信システム側から前記第２の通信システムの制御データ伝送チャネル
の周波数成分を観測することを特徴とする。
【００２３】
この発明によれば、上記第１の通信システムと第２の通信システムとが共存する場合、
該第１の通信システムのスーパーフレームに対して、そのスーパーフレームを構成する１
フレーム量の１／２を最大としかつ所定スロット数間隔で、第２の通信システムの周波数
成分を観測するための空き時間を挿入するようにしたので、１スーパーフレーム内の１回
の観測で周波数成分を観測する必要がなくなって、フレーム伝送上の誤り訂正符号や拡散
率の制約を満たすことができ、これにより、第１の通信システムと第２の通信システムが
共存しても、第１の通信システムから第２の通信システムの周波数成分を確実に観測して
、その際に、圧縮モードフレームのインタリーブ性能の劣化を抑制することが可能である
。
【００２４】
つぎの発明にかかる移動体無線通信システムは、前記第１の通信システムを、複数のフ
レームで構成されるとともにフレームの伝送周期を表す第１のスーパーフレームを用いて
フレーム伝送を行うＵＭＴＳとし、さらに、前記第２の通信システムを、前記ＵＭＴＳの
第１のスーパーフレームと等しい伝送周期の第２のスーパーフレームを用いてフレーム伝
送を行う他のシステムとすることを特徴とする。
【００２５】
この発明によれば、特に、ＵＭＴＳと他のシステムとが共存する場合、ＵＭＴＳのスー
パーフレームに対して、そのスーパーフレームを構成する１フレーム量の１／２を最大と
しかつ所定スロット数間隔で、他のシステムの周波数成分を観測するための空き時間を挿
入するようにしたので、１スーパーフレーム内の１回の観測で周波数成分を観測する必要
がなくなって、フレーム伝送上の誤り訂正符号や拡散率の制約を満たすことができ、これ
により、ＵＭＴＳと他のシステムが共存しても、ＵＭＴＳから他のシステムの周波数成分
を確実に観測して、その際に、圧縮モードフレームのインタリーブ性能の劣化を抑制する
ことが可能である。なお、この発明によれば、上記第１のスーパーフレームが後述する実
施例の１ＵＭＴＳスーパーフレームに対応し、第２のスーパーフレームが１ＧＳＭスーパ
ーフレームに対応し、第３のスーパーフレームが１ＦＣＣＨ／ＳＣＨスーパーフレームに
対応し、ユーザデータ伝送チャネルが個別トラフィックチャネルに対応し、制御データ伝
送チャネルが共通制御チャネルに対応することになる。
【００２６】
つぎの発明にかかる移動体無線通信システムにおいて、前記所定スロット数間隔は、前
記ＵＭＴＳと他のシステム間の伝送周期の差により決定されることを特徴とする。
【００２７】
この発明によれば、所定スロット数間隔をＵＭＴＳと他のシステム間の伝送周期の差に
より決定するようにしたので、伝送周期の差に応じて異周波数成分を隈なく観測すること
が可能である。
【００２８】
つぎの発明にかかる移動体無線通信システムにおいて、前記ＵＭＴＳのスーパーフレー
ムの前記所定の空き時間は、複数設けられ、前記各空き時間はフレーム別に配置されるこ
とを特徴とする。
【００２９】
この発明によれば、ＵＭＴＳのスーパーフレームにおいて複数の空き時間をフレーム別
に配置するようにしたので、１スーパーフレーム内に必要な空き時間を確保することが可
能である。
【００３０】
つぎの発明にかかる移動体無線通信システムにおいて、前記複数の空き時間の合計は、
前記他のシステム間で周波数成分を観測するために設けられる前記特定の空き時間に等し
いことを特徴とする。
【００３１】
この発明によれば、複数の空き時間の合計を、他のシステム間で周波数成分を観測する
ために設けられる特定の空き時間に等しく設定したので、１スーパーフレーム内に、他の
システム間での異周波数観測と同等の空き時間を確保することが可能である。
【００３２】
つぎの発明にかかる移動体無線通信システムにおいて、前記所定の空き時間が挿入され
たフレームは、圧縮され、かつ、間欠的に送信されることを特徴とする。
【００３３】
この発明によれば、所定の空き時間が挿入されたフレームについては、圧縮し、かつ、
間欠的に送信するようにしたので、１フレーム期間内に空き時間を挿入しても再現性の高
いフレーム伝送を実現することが可能である。
【００３４】
つぎの発明にかかる移動体無線通信システムにおいて、前記圧縮されたフレームは、符
号化率を上げて生成されることを特徴とする。
【００３５】
この発明によれば、符号化率を上げて圧縮されたフレームを生成するようにしたので、
圧縮率が低減され、より短い系列長の拡散符号の使用数を抑えることが可能である。
【００３６】
つぎの発明にかかる移動体無線通信システムにおいて、前記圧縮されたフレームは、前
記所定の空き時間を挿入しない他のフレームと同じ拡散率で生成されることを特徴とする
。
【００３７】
この発明によれば、所定の空き時間を挿入しない他のフレームと同じ拡散率で圧縮され
たフレームを生成するようにしたので、圧縮されたフレームについて対干渉雑音特性を保
持することが可能である。
【００３８】
つぎの発明にかかる移動体無線通信システムに適用される通信装置は、複数のフレーム
で構成されるとともにフレームの伝送周期を表す第１のスーパーフレームを用いてフレー
ム伝送を行う符号分割多元接続方式の第１の通信システムと、ユーザデータ伝送チャネル
におけるフレームの伝送周期を表す第２のスーパーフレームの整数倍のフレーム数と、制
御データ伝送チャネルにおけるフレームの伝送周期を表す第３のスーパーフレームのフレ
ーム数と、の差分に基づいて、下りユーザデータ伝送チャネル用の第２のスーパーフレー
ムに特定の空き時間を挿入し、該空き時間を利用して制御データ伝送チャネルの周波数成
分を観測する第２の通信システムと、が共存し、さらに、フレーム伝送時に、該フレーム
の誤り訂正およびインタリーブを行う移動体無線通信システムに適用され、通常モードの
場合にフレームを連続的に送信し、圧縮モードの場合に圧縮されたフレームを間欠的に送
信する前記第１の通信システム側の通信装置であって、前記圧縮モードの際に、前記第１
のスーパーフレームに対して、該第１のスーパーフレームを構成する１フレームの１／２
を最大とする所定の空き時間を、所定フレーム数間隔に挿入する制御手段を備え、前記制
御手段にて挿入された所定の空き時間を利用することにより、前記第１の通信システム側
から前記第２の通信システムの制御データ伝送チャネルの周波数成分を観測することを特
徴とする。
【００３９】
この発明によれば、上記第１の通信システムと第２の通信システムとが共存する場合、
該第１の通信システムのスーパーフレームに対して、そのスーパーフレームを構成する１
フレーム量の１／２を最大としかつ所定フレーム数間隔で、第２の通信システムの周波数
成分を観測するための空き時間を挿入するように制御したので、１スーパーフレーム内の
１回の観測で周波数成分を観測する必要がなくなって、フレーム伝送上の誤り訂正符号や
拡散率の制約を満たすことができ、これにより、第１の通信システムと第２の通信システ
ムが共存しても、第１の通信システムから第２の通信システムの周波数成分を確実に観測
して、その際に、圧縮モードフレームのインタリーブ性能の劣化を抑制することが可能で
ある。
【００４０】
つぎの発明にかかる移動体無線通信システムに適用される通信装置は、前記第１の通信
システムを、複数のフレームで構成されるとともにフレームの伝送周期を表す第１のスー
パーフレームを用いてフレーム伝送を行うＵＭＴＳとし、さらに、前記第２の通信システ
ムを、前記ＵＭＴＳの第１のスーパーフレームと等しい伝送周期の第２のスーパーフレー
ムを用いてフレーム伝送を行う他のシステムとすることを特徴とする。
【００４１】
この発明によれば、特に、ＵＭＴＳと他のシステムとが共存する場合、ＵＭＴＳのスー
パーフレームに対して、そのスーパーフレームを構成する１フレーム量の１／２を最大と
しかつ所定フレーム数間隔で、他のシステムの周波数成分を観測するための空き時間を挿
入するようにしたので、１スーパーフレーム内の１回の観測で周波数成分を観測する必要
がなくなって、フレーム伝送上の誤り訂正符号や拡散率の制約を満たすことができ、これ
により、ＵＭＴＳと他のシステムが共存しても、ＵＭＴＳから他のシステムの周波数成分
を確実に観測して、その際に、圧縮モードフレームのインタリーブ性能の劣化を抑制する
ことが可能である。なお、この発明によれば、上記第１のスーパーフレームが後述する実
施例の１ＵＭＴＳスーパーフレームに対応し、第２のスーパーフレームが１ＧＳＭスーパ
ーフレームに対応し、第３のスーパーフレームが１ＦＣＣＨ／ＳＣＨスーパーフレームに
対応し、ユーザデータ伝送チャネルが個別トラフィックチャネルに対応し、制御データ伝
送チャネルが共通制御チャネルに対応することになる。
【００４２】
つぎの発明にかかる移動体無線通信システムに適用される通信装置において、前記制御
手段は、前記所定フレーム数間隔を、前記ＵＭＴＳと他のシステム間の伝送周期の差によ
り決定することを特徴とする。
【００４３】
この発明によれば、制御の際に、所定フレーム数間隔をＵＭＴＳと他のシステム間の伝
送周期の差により決定するようにしたので、伝送周期の差に応じて異周波数成分を隈なく
観測することが可能である。
【００４４】
つぎの発明にかかる移動体無線通信システムに適用される通信装置において、前記制御
手段は、前記所定の空き時間を、前記ＵＭＴＳのスーパーフレームの単位であるフレーム
の中央に配置することを特徴とする。
【００４５】
この発明によれば、制御の際に、所定の空き時間をＵＭＴＳのスーパーフレームの単位
であるフレームの中央に配置するようにしたので、インタリーブ効果を確実に取得するこ
とが可能である。
【００４６】
つぎの発明にかかる移動体無線通信システムに適用される通信装置は、複数のフレーム
で構成されるとともにフレームの伝送周期を表す第１のスーパーフレームを用いてフレー
ム伝送を行う符号分割多元接続方式の第１の通信システムと、ユーザデータ伝送チャネル
におけるフレームの伝送周期を表す第２のスーパーフレームの整数倍のフレーム数と、制
御データ伝送チャネルにおけるフレームの伝送周期を表す第３のスーパーフレームのフレ
ーム数と、の差分に基づいて、下りユーザデータ伝送チャネル用の第２のスーパーフレー
ムに特定の空き時間を挿入し、該空き時間を利用して制御データ伝送チャネルの周波数成
分を観測する第２の通信システムと、が共存し、さらに、フレーム伝送時に、該フレーム
の誤り訂正およびインタリーブを行う移動体無線通信システムに適用され、通常モードの
場合にフレームを連続的に送信し、圧縮モードの場合に圧縮されたフレームを間欠的に送
信する前記第１の通信システム側の通信装置であって、前記第１のスーパーフレームに対
して、該第１のスーパーフレームを構成する１フレームの１／２を最大とする所定の空き
時間を、所定スロット数間隔に挿入する制御手段を備え、前記制御手段にて挿入された所
定の空き時間を利用することにより、前記第１の通信システム側から前記第２の通信シス
テムの制御データ伝送チャネルの周波数成分を観測することを特徴とする。
【００４７】
この発明によれば、上記第１の通信システムと第２の通信システムとが共存する場合、
該第１の通信システムのスーパーフレームに対して、そのスーパーフレームを構成する１
フレーム量の１／２を最大としかつ所定スロット数間隔で、第２の通信システムの周波数
成分を観測するための空き時間を挿入するように制御したので、１スーパーフレーム内の
１回の観測で周波数成分を観測する必要がなくなって、フレーム伝送上の誤り訂正符号や
拡散率の制約を満たすことができ、これにより、第１の通信システムと第２の通信システ
ムが共存しても、第１の通信システムから第２の通信システムの周波数成分を確実に観測
して、その際に、圧縮モードフレームのインタリーブ性能の劣化を抑制することが可能で
ある。
【００４８】
つぎの発明にかかる移動体無線通信システムに適用される通信装置は、前記第１の通信
システムを、複数のフレームで構成されるとともにフレームの伝送周期を表す第１のスー
パーフレームを用いてフレーム伝送を行うＵＭＴＳとし、さらに、前記第２の通信システ
ムを、前記ＵＭＴＳの第１のスーパーフレームと等しい伝送周期の第２のスーパーフレー
ムを用いてフレーム伝送を行う他のシステムとすることを特徴とする。
【００４９】
この発明によれば、特に、ＵＭＴＳと他のシステムとが共存する場合、ＵＭＴＳのスー
パーフレームに対して、そのスーパーフレームを構成する１フレーム量の１／２を最大と
しかつ所定スロット数間隔で、他のシステムの周波数成分を観測するための空き時間を挿
入するようにしたので、１スーパーフレーム内の１回の観測で周波数成分を観測する必要
がなくなって、フレーム伝送上の誤り訂正符号や拡散率の制約を満たすことができ、これ
により、ＵＭＴＳと他のシステムが共存しても、ＵＭＴＳから他のシステムの周波数成分
を確実に観測して、その際に、圧縮モードフレームのインタリーブ性能の劣化を抑制する
ことが可能である。なお、この発明によれば、上記第１のスーパーフレームが後述する実
施例の１ＵＭＴＳスーパーフレームに対応し、第２のスーパーフレームが１ＧＳＭスーパ
ーフレームに対応し、第３のスーパーフレームが１ＦＣＣＨ／ＳＣＨスーパーフレームに
対応し、ユーザデータ伝送チャネルが個別トラフィックチャネルに対応し、制御データ伝
送チャネルが共通制御チャネルに対応することになる。
【００５０】
つぎの発明にかかる移動体無線通信システムに適用される通信装置において、前記制御
手段は、前記所定フレーム数間隔を、前記ＵＭＴＳと他のシステム間の伝送周期の差によ
り決定することを特徴とする。
【００５１】
この発明によれば、制御の際に、所定スロット数間隔をＵＭＴＳと他のシステム間の伝
送周期の差により決定するようにしたので、伝送周期の差に応じて異周波数成分を隈なく
観測することが可能である。
【００５２】
つぎの発明にかかる移動体無線通信システムに適用される通信装置において、前記制御
手段は、前記ＵＭＴＳのスーパーフレームに、前記所定の空き時間を複数設け、前記各空
き時間をフレーム別に配置させることを特徴とする。
【００５３】
この発明によれば、制御の際に、ＵＭＴＳのスーパーフレームにおいて複数の空き時間
をフレーム別に配置するようにしたので、１スーパーフレーム内に必要な空き時間を確保
することが可能である。
【００５４】
つぎの発明にかかる移動体無線通信システムに適用される通信装置において、前記制御
手段は、前記複数の空き時間の合計を、前記他のシステム間で周波数成分を観測するため
に設けられる前記特定の空き時間に等しく設定することを特徴とする。
【００５５】
この発明によれば、制御の際に、複数の空き時間の合計を他のシステム間で周波数成分
を観測するために設けられる特定の空き時間に等しく設定したので、１スーパーフレーム
内に、他のシステム間での異周波数観測と同等の空き時間を確保することが可能である。
【００５６】
つぎの発明にかかる移動体無線通信システムに適用される通信装置において、前記制御
手段は、前記圧縮されたフレームを生成する際に符号化率を上げることを特徴とする。
【００５７】
この発明によれば、制御の際に、符号化率を上げて圧縮されたフレームを生成するよう
にしたので、圧縮率が低減され、より短い系列長の拡散符号の使用数を抑えることが可能
である。
【００５８】
つぎの発明にかかる移動体無線通信システムに適用される通信装置において、前記制御
手段は、前記圧縮されたフレームを生成する際に、前記所定の空き時間を挿入しない他の
フレームと同じ拡散率を設定することを特徴とする。
【００５９】
この発明によれば、制御の際に、所定の空き時間を挿入しない他のフレームと同じ拡散
率で圧縮されたフレームを生成するようにしたので、圧縮されたフレームについて対干渉
雑音特性を保持することが可能である。
【００６０】
つぎの発明にかかる移動体無線通信システムに適用される通信装置において、前記制御
手段は、前記圧縮モードの際に平均送信電力を上げることを特徴とする。
【００６１】
この発明によれば、制御の際に、圧縮モードの際に平均送信電力を上げるようにしたの
で、特性劣化を最小限に抑えることが可能である。
【００６２】
つぎの発明にかかる移動体無線方法は、複数のフレームで構成されるとともにフレーム
の伝送周期を表す第１のスーパーフレームを用いてフレーム伝送を行う符号分割多元接続
方式の第１の通信システムと、ユーザデータ伝送チャネルにおけるフレームの伝送周期を
表す第２のスーパーフレームの整数倍のフレーム数と、制御データ伝送チャネルにおける
フレームの伝送周期を表す第３のスーパーフレームのフレーム数と、の差分に基づいて、
下りユーザデータ伝送チャネル用の第２のスーパーフレームに特定の空き時間を挿入し、
該空き時間を利用して制御データ伝送チャネルの周波数成分を観測する第２の通信システ
ムと、が共存し、さらに、前記第１の通信システムのフレーム伝送時に、該フレームの誤
り訂正およびインタリーブを行う移動体無線通信システムに適用され、通常モードの場合
にフレームを連続的に送信し、圧縮モードの場合に圧縮されたフレームを間欠的に送信す
る移動体無線通信方法であって、前記圧縮モードの際に、間欠的に送信すべきフレームを
圧縮する第１工程と、前記第１のスーパーフレームに対して、該第１のスーパーフレーム
を構成する１フレームの１／２を最大とする所定の空き時間を、前記第１の通信システム
と前記第２の通信システムとの間におけるフレーム構造の関係により決定される所定フレ
ーム数間隔に挿入して、前記第１工程で圧縮されたフレームを間欠的に送信する第２工程
と、を含み、前記第２工程にて挿入された所定の空き時間を利用することにより、前記第
１の通信システム側から前記第２の通信システムの制御データ伝送チャネルの周波数成分
を観測することを特徴とする。
【００６３】
この発明によれば、圧縮モードの際に、間欠的に送信すべきフレームを圧縮し、上記第
１の通信システムのスーパーフレームに対して、該第１の通信システムのスーパーフレー
ムを構成する１フレーム量の１／２を最大としかつ第１の通信システムと第２の通信シス
テム間におけるフレーム構造の関係により決定される所定フレーム数間隔に従って、第２
の通信システムの周波数成分を観測するための空き時間を挿入して、上記圧縮されたフレ
ームを間欠的に送信する工程にしたので、１スーパーフレーム内の１回の観測で周波数成
分を観測する必要がなくなって、フレーム伝送上の誤り訂正符号や拡散率の制約を満たす
ことができ、これにより、第１の通信システムと第２の通信システムが共存しても、第１
の通信システムから第２の通信システムの周波数成分を確実に観測して、その際に、圧縮
モードフレームのインタリーブ性能の劣化を抑制することが可能である。
【００６４】
つぎの発明にかかる移動体無線方法は、複数のフレームで構成されるとともにフレーム
の伝送周期を表す第１のスーパーフレームを用いてフレーム伝送を行う符号分割多元接続
方式の第１の通信システムと、ユーザデータ伝送チャネルにおけるフレームの伝送周期を
表す第２のスーパーフレームの整数倍のフレーム数と、制御データ伝送チャネルにおける
フレームの伝送周期を表す第３のスーパーフレームのフレーム数と、の差分に基づいて、
下りユーザデータ伝送チャネル用の第２のスーパーフレームに特定の空き時間を挿入し、
該空き時間を利用して制御データ伝送チャネルの周波数成分を観測する第２の通信システ
ムと、が共存し、さらに、前記第１の通信システムのフレーム伝送時に、該フレームの誤
り訂正およびインタリーブを行う移動体無線通信システムに適用され、通常モードの場合
にフレームを連続的に送信し、圧縮モードの場合に圧縮されたフレームを間欠的に送信す
る移動体無線通信方法であって、前記圧縮モードの際に、間欠的に送信すべきフレームを
圧縮する第１工程と、前記第１のスーパーフレームに対して、該第１のスーパーフレーム
を構成する１フレームの１／２を最大とする所定の空き時間を、前記第１の通信システム
と前記第２の通信システムとの間におけるフレーム構造の関係により決定される所定スロ
ット数間隔に挿入して、前記第１工程で圧縮されたフレームを間欠的に送信する第２工程
と、を含み、前記第２工程にて挿入された所定の空き時間を利用することにより、前記第
１の通信システム側から前記第２の通信システムの制御データ伝送チャネルの周波数成分
を観測することを特徴とする。
【００６５】
この発明によれば、圧縮モードの際に、間欠的に送信すべきフレームを圧縮し、上記第
１の通信システムのスーパーフレームに対して、該第１の通信システムのスーパーフレー
ムを構成する１フレーム量の１／２を最大としかつ第１の通信システムと第２の通信シス
テム間におけるフレーム構造の関係により決定される所定スロット数間隔に従って、第２
の通信システムの周波数成分を観測するための空き時間を挿入して、上記圧縮されたフレ
ームを間欠的に送信する工程にしたので、１スーパーフレーム内の１回の観測で周波数成
分を観測する必要がなくなって、フレーム伝送上の誤り訂正符号や拡散率の制約を満たす
ことができ、これにより、第１の通信システムと第２の通信システムが共存しても、第１
の通信システムから第２の通信システムの周波数成分を確実に観測して、その際に、圧縮
モードフレームのインタリーブ性能の劣化を抑制することが可能である。
【００６６】
つぎの発明にかかる移動体無線通信方法は、前記第１の通信システムを、複数のフレー
ムで構成されるとともにフレームの伝送周期を表す第１のスーパーフレームを用いてフレ
ーム伝送を行うＵＭＴＳとし、さらに、前記第２の通信システムを、前記ＵＭＴＳの第１
のスーパーフレームと等しい伝送周期の第２のスーパーフレームを用いてフレーム伝送を
行う他のシステムとすることを特徴とする。
【００６７】
この発明によれば、特に、ＵＭＴＳと他のシステムとが共存する場合、ＵＭＴＳのスー
パーフレームに対して、そのスーパーフレームを構成する１フレーム量の１／２を最大と
し、かつ所定フレーム数間隔または所定スロット数間隔で、他のシステムの周波数成分を
観測するための空き時間を挿入するようにしたので、１スーパーフレーム内の１回の観測
で周波数成分を観測する必要がなくなって、フレーム伝送上の誤り訂正符号や拡散率の制
約を満たすことができ、これにより、ＵＭＴＳと他のシステムが共存しても、ＵＭＴＳか
ら他のシステムの周波数成分を確実に観測して、その際に、圧縮モードフレームのインタ
リーブ性能の劣化を抑制することが可能である。なお、この発明によれば、上記第１のス
ーパーフレームが後述する実施例の１ＵＭＴＳスーパーフレームに対応し、第２のスーパ
ーフレームが１ＧＳＭスーパーフレームに対応し、第３のスーパーフレームが１ＦＣＣＨ
／ＳＣＨスーパーフレームに対応し、ユーザデータ伝送チャネルが個別トラフィックチャ
ネルに対応し、制御データ伝送チャネルが共通制御チャネルに対応することになる。
【００６８】
つぎの発明にかかる移動体無線通信方法において、前記第１工程は、前記圧縮されたフ
レームを、符号化率を上げて生成することを特徴とする。
【００６９】
この発明によれば、符号化率を上げて圧縮されたフレームを生成する工程にしたので、
圧縮率が低減され、より短い系列長の拡散符号の使用数を抑えることが可能である。
【００７０】
つぎの発明にかかる移動体無線通信方法において、前記第１工程は、前記圧縮されたフ
レームを前記所定の空き時間を挿入しない他のフレームと同じ拡散率で生成することを特
徴とする。
【００７１】
この発明によれば、所定の空き時間を挿入しない他のフレームと同じ拡散率で圧縮され
たフレームを生成する工程にしたので、圧縮されたフレームについて対干渉雑音特性を保
持することが可能である。
【００７２】
つぎの発明にかかる移動体無線通信方法において、前記第２工程は、前記圧縮モードの
際に平均送信電力を上げることを特徴とする。
【００７３】
この発明によれば、圧縮モードの際に平均送信電力を上げる工程にしたので、特性劣化
を最小限に抑えることが可能である。
【発明の効果】
【００７４】
本発明によれば、第１の通信システムと第２の通信システムとが共存する場合、該第１の通信システムのスーパーフレームに対して、そのスーパーフレームを構成する１フレーム量の１／２を最大としかつ所定フレーム数間隔で、第２の通信システムの周波数成分を観測するための空き時間を挿入するようにしたので、１スーパーフレーム内の１回の観測で周波数成分を観測する必要がなくなって、フレーム伝送上の誤り訂正符号や拡散率の制約を満たすことができ、これにより、第１の通信システムと第２の通信システムが共存しても、第１の通信システムから第２の通信システムの周波数成分を確実に観測して、その際に、圧縮モードフレームのインタリーブ性能の劣化を抑制することが可能な移動体無線通信システムが得られる、という効果を奏する。
【００７５】
つぎの発明によれば、特に、ＵＭＴＳと他のシステムとが共存する場合、ＵＭＴＳのス
ーパーフレームに対して、そのスーパーフレームを構成する１フレーム量の１／２を最大
としかつ所定フレーム数間隔で、他のシステムの周波数成分を観測するための空き時間を
挿入するようにしたので、１スーパーフレーム内の１回の観測で周波数成分を観測する必
要がなくなって、フレーム伝送上の誤り訂正符号や拡散率の制約を満たすことができ、こ
れにより、ＵＭＴＳと他のシステムが共存しても、ＵＭＴＳから他のシステムの周波数成
分を確実に観測して、その際に、圧縮モードフレームのインタリーブ性能の劣化を抑制す
ることが可能な移動体無線通信システムが得られる、という効果を奏する。
【００７６】
つぎの発明によれば、所定フレーム数間隔をＵＭＴＳと他のシステム間の伝送周期の差
により決定するようにしたので、伝送周期の差に応じて異周波数成分を隈なく観測するこ
とが可能な移動体無線通信システムが得られる、という効果を奏する。
【００７７】
つぎの発明によれば、空き時間をＵＭＴＳのスーパーフレームの単位であるフレームの
中央に配置するようにしたので、インタリーブ効果を確実に取得することが可能な移動体
無線通信システムが得られる、という効果を奏する。
【００７８】
つぎの発明によれば、第１の通信システムと第２の通信システムとが共存する場合、該
第１の通信システムのスーパーフレームに対して、そのスーパーフレームを構成する１フ
レーム量の１／２を最大としかつ所定スロット数間隔で、第２の通信システムの周波数成
分を観測するための空き時間を挿入するようにしたので、１スーパーフレーム内の１回の
観測で周波数成分を観測する必要がなくなって、フレーム伝送上の誤り訂正符号や拡散率
の制約を満たすことができ、これにより、第１の通信システムと第２の通信システムが共
存しても、第１の通信システムから第２の通信システムの周波数成分を確実に観測して、
その際に、圧縮モードフレームのインタリーブ性能の劣化を抑制することが可能な移動体
無線通信システムが得られる、という効果を奏する。
【００７９】
つぎの発明によれば、特に、ＵＭＴＳと他のシステムとが共存する場合、ＵＭＴＳのス
ーパーフレームに対して、そのスーパーフレームを構成する１フレーム量の１／２を最大
としかつ所定スロット数間隔で、他のシステムの周波数成分を観測するための空き時間を
挿入するようにしたので、１スーパーフレーム内の１回の観測で周波数成分を観測する必
要がなくなって、フレーム伝送上の誤り訂正符号や拡散率の制約を満たすことができ、こ
れにより、ＵＭＴＳと他のシステムが共存しても、ＵＭＴＳから他のシステムの周波数成
分を確実に観測して、その際に、圧縮モードフレームのインタリーブ性能の劣化を抑制す
ることが可能な移動体無線通信システムが得られる、という効果を奏する。
【００８０】
つぎの発明によれば、所定スロット数間隔をＵＭＴＳと他のシステム間の伝送周期の差
により決定するようにしたので、伝送周期の差に応じて異周波数成分を隈なく観測するこ
とが可能な移動体無線通信システムが得られる、という効果を奏する。
【００８１】
つぎの発明によれば、ＵＭＴＳのスーパーフレームにおいて複数の空き時間をフレーム
別に配置するようにしたので、１スーパーフレーム内に必要な空き時間を確保することが
可能な移動体無線通信システムが得られる、という効果を奏する。
【００８２】
つぎの発明によれば、複数の空き時間の合計を、他のシステム間で周波数成分を観測す
るために設けられる特定の空き時間に等しく設定したので、１スーパーフレーム内に、他
のシステム間での異周波数観測と同等の空き時間を確保することが可能な移動体無線通信
システムが得られる、という効果を奏する。
【００８３】
つぎの発明によれば、所定の空き時間が挿入されたフレームについては、圧縮し、かつ
、間欠的に送信するようにしたので、１フレーム期間内に空き時間を挿入しても再現性の
高いフレーム伝送を実現することが可能な移動体無線通信システムが得られる、という効
果を奏する。
【００８４】
つぎの発明によれば、符号化率を上げて圧縮されたフレームを生成するようにしたので
、圧縮率が低減され、より短い系列長の拡散符号の使用数を抑えることが可能な移動体無
線通信システムが得られる、という効果を奏する。
【００８５】
つぎの発明によれば、所定の空き時間を挿入しない他のフレームと同じ拡散率で圧縮さ
れたフレームを生成するようにしたので、圧縮されたフレームについて対干渉雑音特性を
保持することが可能な移動体無線通信システムが得られる、という効果を奏する。
【００８６】
つぎの発明によれば、第１の通信システムと第２の通信システムとが共存する場合、該
第１の通信システムのスーパーフレームに対して、そのスーパーフレームを構成する１フ
レーム量の１／２を最大としかつ所定フレーム数間隔で、第２の通信システムの周波数成
分を観測するための空き時間を挿入するように制御したので、１スーパーフレーム内の１
回の観測で周波数成分を観測する必要がなくなって、フレーム伝送上の誤り訂正符号や拡
散率の制約を満たすことができ、これにより、第１の通信システムと第２の通信システム
が共存しても、第１の通信システムから第２の通信システムの周波数成分を確実に観測し
て、その際に、圧縮モードフレームのインタリーブ性能の劣化を抑制することが可能な移
動体無線通信システムに適用される通信装置が得られる、という効果を奏する。
【００８７】
つぎの発明によれば、特に、ＵＭＴＳと他のシステムとが共存する場合、ＵＭＴＳのス
ーパーフレームに対して、そのスーパーフレームを構成する１フレーム量の１／２を最大
としかつ所定フレーム数間隔で、他のシステムの周波数成分を観測するための空き時間を
挿入するようにしたので、１スーパーフレーム内の１回の観測で周波数成分を観測する必
要がなくなって、フレーム伝送上の誤り訂正符号や拡散率の制約を満たすことができ、こ
れにより、ＵＭＴＳと他のシステムが共存しても、ＵＭＴＳから他のシステムの周波数成
分を確実に観測して、その際に、圧縮モードフレームのインタリーブ性能の劣化を抑制す
ることが可能な移動体無線通信システムに適用される通信装置が得られる、という効果を
奏する。
【００８８】
つぎの発明によれば、制御の際に、所定フレーム数間隔をＵＭＴＳと他のシステム間の
伝送周期の差により決定するようにしたので、伝送周期の差に応じて異周波数成分を隈な
く観測することが可能な移動体無線通信システムに適用される通信装置が得られる、とい
う効果を奏する。
【００８９】
つぎの発明によれば、制御の際に、所定の空き時間をＵＭＴＳのスーパーフレームの単
位であるフレームの中央に配置するようにしたので、インタリーブ効果を確実に取得する
ことが可能な移動体無線通信システムに適用される通信装置が得られる、という効果を奏
する。
【００９０】
つぎの発明によれば、第１の通信システムと第２の通信システムとが共存する場合、該
第１の通信システムのスーパーフレームに対して、そのスーパーフレームを構成する１フ
レーム量の１／２を最大としかつ所定スロット数間隔で、第２の通信システムの周波数成
分を観測するための空き時間を挿入するように制御したので、１スーパーフレーム内の１
回の観測で周波数成分を観測する必要がなくなって、フレーム伝送上の誤り訂正符号や拡
散率の制約を満たすことができ、これにより、第１の通信システムと第２の通信システム
が共存しても、第１の通信システムから第２の通信システムの周波数成分を確実に観測し
て、その際に、圧縮モードフレームのインタリーブ性能の劣化を抑制することが可能な移
動体無線通信システムに適用される通信装置が得られる、という効果を奏する。
【００９１】
つぎの発明によれば、特に、ＵＭＴＳと他のシステムとが共存する場合、ＵＭＴＳのス
ーパーフレームに対して、そのスーパーフレームを構成する１フレーム量の１／２を最大
としかつ所定スロット数間隔で、他のシステムの周波数成分を観測するための空き時間を
挿入するようにしたので、１スーパーフレーム内の１回の観測で周波数成分を観測する必
要がなくなって、フレーム伝送上の誤り訂正符号や拡散率の制約を満たすことができ、こ
れにより、ＵＭＴＳと他のシステムが共存しても、ＵＭＴＳから他のシステムの周波数成
分を確実に観測して、その際に、圧縮モードフレームのインタリーブ性能の劣化を抑制す
ることが可能な移動体無線通信システムに適用される通信装置が得られる、という効果を
奏する。
【００９２】
つぎの発明によれば、制御の際に、所定スロット数間隔をＵＭＴＳと他のシステム間の
伝送周期の差により決定するようにしたので、伝送周期の差に応じて異周波数成分を隈な
く観測することが可能な移動体無線通信システムに適用される通信装置が得られる、とい
う効果を奏する。
【００９３】
つぎの発明によれば、制御の際に、ＵＭＴＳのスーパーフレームにおいて複数の空き時
間をフレーム別に配置するようにしたので、１スーパーフレーム内に必要な空き時間を確
保することが可能な移動体無線通信システムに適用される通信装置が得られる、という効
果を奏する。
【００９４】
つぎの発明によれば、制御の際に、複数の空き時間の合計を他のシステム間で周波数成
分を観測するために設けられる特定の空き時間に等しく設定したので、１スーパーフレー
ム内に、他のシステム間での異周波数観測と同等の空き時間を確保することが可能な移動
体無線通信システムに適用される通信装置が得られる、という効果を奏する。
【００９５】
つぎの発明によれば、制御の際に、符号化率を上げて圧縮されたフレームを生成するよ
うにしたので、圧縮率が低減され、より短い系列長の拡散符号の使用数を抑えることが可
能な移動体無線通信システムに適用される通信装置が得られる、という効果を奏する。
【００９６】
つぎの発明によれば、制御の際に、所定の空き時間を挿入しない他のフレームと同じ拡
散率で圧縮されたフレームを生成するようにしたので、圧縮されたフレームについて対干
渉雑音特性を保持することが可能な移動体無線通信システムに適用される通信装置が得ら
れる、という効果を奏する。
【００９７】
つぎの発明によれば、制御の際に、圧縮モードの際に平均送信電力を上げるようにした
ので、特性劣化を最小限に抑えることが可能な移動体無線通信システムに適用される通信
装置が得られる、という効果を奏する。
【００９８】
つぎの発明によれば、圧縮モードの際に、間欠的に送信すべきフレームを圧縮し、第１
の通信システムのスーパーフレームに対して、該第１の通信システムのスーパーフレーム
を構成する１フレーム量の１／２を最大としかつ第１の通信システムと第２の通信システ
ム間におけるフレーム構造の関係により決定される所定フレーム数間隔に従って、第２の
通信システムの周波数成分を観測するための空き時間を挿入して、上記圧縮されたフレー
ムを間欠的に送信する工程にしたので、１スーパーフレーム内の１回の観測で周波数成分
を観測する必要がなくなって、フレーム伝送上の誤り訂正符号や拡散率の制約を満たすこ
とができ、これにより、第１の通信システムと第２の通信システムが共存しても、第１の
通信システムから第２の通信システムの周波数成分を確実に観測して、その際に、圧縮モ
ードフレームのインタリーブ性能の劣化を抑制することが可能な移動体無線通信方法が得
られる、という効果を奏する。
【００９９】
つぎの発明によれば、圧縮モードの際に、間欠的に送信すべきフレームを圧縮し、第１
の通信システムのスーパーフレームに対して、該第１の通信システムのスーパーフレーム
を構成する１フレーム量の１／２を最大としかつ第１の通信システムと第２の通信システ
ム間におけるフレーム構造の関係により決定される所定スロット数間隔に従って、第２の
通信システムの周波数成分を観測するための空き時間を挿入して、上記圧縮されたフレー
ムを間欠的に送信する工程にしたので、１スーパーフレーム内の１回の観測で周波数成分
を観測する必要がなくなって、フレーム伝送上の誤り訂正符号や拡散率の制約を満たすこ
とができ、これにより、第１の通信システムと第２の通信システムが共存しても、第１の
通信システムから第２の通信システムの周波数成分を確実に観測して、その際に、圧縮モ
ードフレームのインタリーブ性能の劣化を抑制することが可能な移動体無線通信方法が得
られる、という効果を奏する。
【０１００】
つぎの発明によれば、特に、ＵＭＴＳと他のシステムとが共存する場合、ＵＭＴＳのス
ーパーフレームに対して、そのスーパーフレームを構成する１フレーム量の１／２を最大
とし、かつ所定フレーム数間隔または所定スロット数間隔で、他のシステムの周波数成分
を観測するための空き時間を挿入するようにしたので、１スーパーフレーム内の１回の観
測で周波数成分を観測する必要がなくなって、フレーム伝送上の誤り訂正符号や拡散率の
制約を満たすことができ、これにより、ＵＭＴＳと他のシステムが共存しても、ＵＭＴＳ
から他のシステムの周波数成分を確実に観測して、その際に、圧縮モードフレームのイン
タリーブ性能の劣化を抑制することが可能な移動体無線通信方法が得られる、という効果
を奏する。
【０１０１】
つぎの発明によれば、符号化率を上げて圧縮されたフレームを生成する工程にしたので
、圧縮率が低減され、より短い系列長の拡散符号の使用数を抑えることが可能な移動体無
線通信方法が得られる、という効果を奏する。
【０１０２】
つぎの発明によれば、所定の空き時間を挿入しない他のフレームと同じ拡散率で圧縮さ
れたフレームを生成する工程にしたので、圧縮されたフレームについて対干渉雑音特性を
保持することが可能な移動体無線通信方法が得られる、という効果を奏する。
【０１０３】
つぎの発明によれば、圧縮モードの際に平均送信電力を上げる工程にしたので、特性劣
化を最小限に抑えることが可能な移動体無線通信方法が得られる、という効果を奏する。
【発明を実施するための最良の形態】
【０１０４】
以下に、本発明にかかる移動体無線通信システム、移動体無線通信システムに適用され
る通信装置および移動体無線通信方法の実施の形態を図面に基づいて詳細に説明する。な
お、この実施の形態によりこの発明が限定されるものではない。
【０１０５】
実施の形態１．
まず、本発明の実施の形態１の原理について説明する。本発明の実施の形態１では、Ｕ
ＭＴＳとＧＳＭシステムとが共存する移動体無線通信システムが一例として示される。ま
ず、既存システムであるＧＳＭシステムについて説明する。図１にはＧＳＭシステムに適
用されるフレームフォーマットが示されている。具体的には、図１（ａ）は個別トラフィ
ックチャネルのフレームフォーマットを説明する図であり、同図（ｂ）は共通制御チャネ
ルのフレームフォーマットを説明する図である。
【０１０６】
ＧＳＭシステムでは、個別トラフィックチャネルとしてＴＡＣＨ（Ｔｒａｆｆｉｃ  ａ
ｎｄ  Ａｓｓｏｃｉａｔｅｄ  Ｃｈａｎｎｅｌ）が定義され、共通制御チャネルとしてＦ
ＣＣＨ（Ｆｒｅｑｕｅｎｃｙ  Ｃｏｒｒｅｃｔｉｏｎ  Ｃｈａｎｎｅｌ）およびＳＣＨ（
Ｓｙｎｃｈｒｏｎｉｓａｔｉｏｎ  Ｃｈａｎｎｅｌ）が定義されている。個別トラフィッ
クチャネルＴＡＣＨでは、図１（ａ）に示したように、伝送単位であるフレームを＃１〜
＃２６まで伝送する周期を１ＧＳＭスーパーフレームとしている。１フレームは、８ＢＰ
（Ｂｕｒｓｔ  Ｐｅｒｉｏｄ）時間である。なお、１ＢＰは０．５７７ｍｓとなる。した
がって、１ＧＳＭスーパーフレームは１２０ｍｓの伝送周期となる。また、共通制御チャ
ネルＦＣＣＨ／ＳＣＨでは、図１（ｂ）に示したように、８ＢＰのフレームを＃１〜＃５
１まで伝送する周期を１ＦＣＣＨ／ＳＣＨスーパーフレームとしている。
【０１０７】
つづいて、ＧＳＭ−ＧＳＭ間の異周波数成分観測方法について説明する。図２はＧＳＭ
システムに適用されるＧＳＭスーパーフレームの観測時間を説明する図である。図３には
ＧＳＭ−ＧＳＭ間における異周波数成分の観測方法が示されている。具体的には、図３（
ａ）は共通制御チャネルのフレームフォーマットを説明する図であり、同図（ｂ）は共通
制御チャネルとの関係で個別トラフィックチャネルのフレームフォーマットを説明する図
であり、同図（ｃ）はスーパーフレーム毎に挿入される観測時間を説明する図である。ま
た、図４はＧＳＭシステムの個別トラフィックチャネルにおける観測例を説明する図であ
る。この図４は、文献名"Ｔｈｅ  ＧＳＭ  Ｓｙｓｔｅｍ  ｆｏｒ  Ｍｏｂｉｌｅ  Ｃｏ
ｍｍｕｎｉｃａｔｉｏｎ"、Ｍｉｃｈｅｌ  ＭＯＵＬＹ／Ｍａｒｉｅ−Ｂｅｒｎａｄｅｔ
ｔｅ  ＰＡＵＴＥＴ著、Ｉｎｔｅｒｎａｔｉｏｎａｌ  Ｓｔａｎｄａｒｄ  Ｂｏｏｋ  Ｎ
ｕｍｂｅｒ：２−９５０７１９０−０−７に記載されている。
【０１０８】
ＧＳＭシステムでは、１回のＧＳＭスーパーフレームに割り当てられる無伝送時間（ア
イドル時間）は、図２に示したように、１２ＢＰ（＝６．９ｍｓ）となる。ハンドオーバ
時には、この無伝送時間を利用して他のＧＳＭシステムの異周波数成分（制御チャネル）
が観測および検波される。前述のＦＣＣＨ／ＳＣＨスーパーフレームは、５１フレームで
構成されている（図３（ａ）参照）。これに対して、ＧＳＭスーパーフレーム（図３（ｂ
）参照）は２周期で５２フレームとなる。このため、両スーパーフレームを比較すると、
１フレーム分の差が生じる。すなわち、ＦＣＣＨ／ＳＣＨスーパーフレームの方が１フレ
ーム不足する。そして、観測時間は１ＧＳＭスーパーフレーム当たり１回のため、２ＧＳ
Ｍスーパーフレームでは２回の観測および検波が行われる（図３（ｃ）参照）。
【０１０９】
この観測および検波の手順は、図４に示されている。共通制御チャネルの１ＦＣＣＨ／
ＳＣＨスーパーフレームと個別トラフィックの２ＧＳＭスーパーフレームとの比較では、
１フレーム分の差がある。個別トラフィックチャネルＴＡＣＨ／Ｆでは、１ＧＳＭスーパ
ーフレームに割り当てられる観測時間の位置は固定である。したがって、毎ＧＳＭスーパ
ーフレームの所定フレームにおいて、観測が行われる。もしＦＣＣＨ／ＳＣＨスーパーフ
レームが２ＧＳＭスーパーフレームと同じフレーム数で構成されるのであれば、ＧＳＭ−
ＧＳＭ間で常に同じフレーム番号を観測することになるが、ＦＣＣＨ／ＳＣＨスーパーフ
レームと２ＧＳＭスーパーフレーム間には１フレームの差があることから、毎回の観測で
１つずつフレームをずらして観測することができる。
【０１１０】
また、１ＦＣＣＨ／ＳＣＨスーパーフレームに対してＧＳＭスーパーフレームは２周期
が対応することから、１ＦＣＣＨ／ＳＣＨスーパーフレーム当たり２回の観測および検波
が行われる。すなわち、この一対の観測時間の開きが１ＧＳＭスーパーフレームとなるた
め、一対の観測は１ＧＳＭスーパーフレームの１周期だけずれた形で進行する。したがっ
て、ＧＳＭ−ＧＳＭ間での周波数ハンドオーバでは、ＦＣＣＨ／ＳＣＨスーパーフレーム
の１周期当たりに２回、かつ、毎周期１フレームずつずらしながら観測および検波が行わ
れる。
【０１１１】
つぎに、次期システムであるＵＭＴＳについて説明する。図５にはＵＭＴＳに適用され
るフレームフォーマットが示されている。具体的には、図５（ａ）はＧＳＭシステムに適
用される個別トラフィックチャネルのフレームフォーマットを説明する図であり、同図（
ｂ）はＵＭＴＳのスーパーフレームのフォーマットを説明する図である。
【０１１２】
ＧＳＭシステムにおいて、前述の個別トラフィックチャネルＴＡＣＨでは、図５（ａ）
に示したように、伝送単位であるフレームを＃１〜＃２６まで伝送する周期を１ＧＳＭス
ーパーフレームとしている。１フレームは、８ＢＰ（Ｂｕｒｓｔ  Ｐｅｒｉｏｄ）時間で
ある。一方、ＵＭＴＳでは、このＧＳＭスーパーフレームと同じ周期でＵＭＴＳスーパー
フレームが構成される。すなわち、ＵＭＴＳにおいては、すべてのチャネルに関して、図
５（ｂ）に示したように、１０ｍｓのフレームを＃１〜＃１２まで伝送する周期を１ＵＭ
ＴＳスーパーフレームとしている。
【０１１３】
つづいて、ＧＳＭ−ＵＭＴＳ間における異周波数成分の観測方法について説明する。図
６にはＧＳＭ−ＵＭＴＳ間における異周波数成分の観測方法が示されている。具体的には
、図６（ａ）はＧＳＭシステムに適用される共通制御チャネルのフレームフォーマットを
説明する図であり、同図（ｂ）はＵＭＴＳとＧＳＭシステム間のスーパーフレームの関係
を説明する図であり、同図（ｃ）はＵＭＴＳにおいてスーパーフレーム毎に挿入される観
測時間を説明する図である。
【０１１４】
前述のＦＣＣＨ／ＳＣＨスーパーフレームは、５１フレームで構成されている（図６（
ａ）参照）。これに対して、ＧＳＭスーパーフレーム（図３（ｂ）参照）は２周期で５２
フレームとなる。このＧＳＭスーパーフレームとＵＭＴＳスーパーフレームとは１周期の
時間が等しいことから、ＦＣＣＨ／ＳＣＨスーパーフレームとＵＭＴＳスーパーフレーム
との関係はすでに説明したＦＣＣＨ／ＳＣＨスーパーフレームとＧＳＭスーパーフレーム
との関係に合致する。すなわち、ＦＣＣＨ／ＳＣＨスーパーフレームと２ＵＭＴＳスーパ
ーフレームとを比較すると、１フレーム分の差が生じる（図６（ｂ）参照）。
【０１１５】
ここで、ＵＭＴＳ−ＧＳＭ間の周波数ハンドオーバにおいても、前述したＧＳＭ−ＧＳ
Ｍ間の周波数ハンドオーバと同等の機能を得るには、１ＵＭＴＳスーパーフレーム当たり
に約６．９ｍｓの観測時間を持たせる必要がある。したがって、図６（ｃ）に示したよう
に、２ＵＭＴＳスーパーフレームの間に２回の観測および検波が組み込まれる。ただし、
これはあくまでも１２ＢＰ＝６．９ｍｓであった場合に、ＧＳＭ−ＧＳＭ間のハンドオー
バと同じになる。
【０１１６】
ところが、以上のＵＭＴＳ−ＧＳＭ間のハンドオーバでは、誤り訂正符号や拡散率の制
約から１フレームで１スーパーフレームに必要なすべての観測時間を割り当てることは不
可能となる。すなわち、誤り訂正符号の符号化率を上げる操作は、符号化しない場合の情
報ビット数以上に増加できない。また、ＵＭＴＳにおいてフレーム長は１０ｍｓであり、
異周波数成分観測のための約６．９ｍｓの無伝送時間はフレーム長の半分以上と長いため
、インタリーブ性能の劣化が見込まれる。さらに、１フレーム内にて約６．９ｍｓの無伝
送時間を用意するためには、伝送時間を約３．１ｍｓまで圧縮する必要があるため、圧縮
モード伝送時における送電電力が必然的に大きくなり、他のチャネルに与える干渉電力を
瞬時的に増やしてしまうといった問題点がある。
【０１１７】
したがって、１ＵＭＴＳスーパーフレーム当たり異周波数成分の観測および検波を複数
回に分けて実施することが考えられる。その際、ＧＳＭシステムの制御チャネルを捕捉す
るための時間性能等は、１ＵＭＴＳスーパーフレームに一度、観測時間を作る場合と同等
とする。これにより、１回当たりの観測時間を得るためのアイドルスロット数は、ＧＳＭ
−ＧＳＭ間の場合と比べて少なく設定される。このアイドルスロットは、パンクチャド符
号や符号化率のより高い誤り訂正符号化を用いることにより生成される。
【０１１８】
本実施の形態１では、１ＵＭＴＳスーパーフレーム当たり２回の観測および検波を行う
場合が示される。このため、２ＵＭＴＳスーパーフレームでは４回の観測および検波が行
われる。
【０１１９】
この観測および検波方法を図７を用いて説明する。図７は本発明の実施の形態１による
下りリンクのフレーム伝送を説明する図である。図７において、縦軸は伝送速度／送信電
力を表し、横軸は時間が表されている。共通制御チャネルの１ＦＣＣＨ／ＳＣＨスーパー
フレームと２ＵＭＴＳスーパーフレームとの比較では、１フレーム分の差がある。個別ト
ラフィックチャネルＴＡＣＨ／Ｆでは、１ＧＳＭスーパーフレームに割り当てられる観測
時間の位置は固定であり、ＵＭＴＳにおいても同様に、下りトラフィックチャネルにおい
て１ＵＭＴＳスーパーフレームに割り当てられる２回の観測時間の位置は固定である。し
たがって、毎ＵＭＴＳスーパーフレームの所定フレーム（２箇所）において、観測および
検波が行われる。このように、１ＦＣＣＨ／ＳＣＨスーパーフレームと２ＵＭＴＳスーパ
ーフレーム間には１フレームの差があることから、毎回の観測で１つずつフレームをずら
して観測することができる。
【０１２０】
また、１ＦＣＣＨ／ＳＣＨスーパーフレームに対してＵＭＴＳスーパーフレームは２周
期が対応することから、１ＦＣＣＨ／ＳＣＨスーパーフレーム当たり４回の観測および検
波が行われる。すなわち、１ＵＭＴＳスーパーフレーム毎に、一対の観測時間の開きが１
ＵＭＴＳスーパーフレームとなるため、一対の観測は１ＦＣＣＨ／ＳＣＨスーパーフレー
ムの１フレームだけずれた形で進行する。したがって、ＵＭＴＳ−ＧＳＭ間での周波数ハ
ンドオーバでは、ＦＣＣＨ／ＳＣＨスーパーフレームの１周期当たりに４回、かつ、それ
ぞれの観測で毎周期１フレームずつずらしながら観測および検波が行われる。
【０１２１】
また、観測時間すなわちアイドルスロットは所定のフレームの中央に配置される。これ
により、圧縮モードフレーム送信では、インタリーブ効果を得ることができる。さらに、
パンクチャド符号化や誤り訂正符号化における符号化率を上げることで、冗長度が減らさ
れ、その分、アイドル時間を多く確保することができる。この場合には、送信すべき情報
量が減るので、拡散率を一定に保つことができる。すなわち、対干渉雑音特性を保持する
ことができる。なお、圧縮されたフレームを送信する際には、特性が劣化することから、
通常の送信電力よりも若干の送信電力のアップが必要となる。
【０１２２】
以下、具体的な移動体通信システムを例に挙げて説明する。図８は本発明の実施の形態
１による移動体無線通信システムを示すブロック図である。移動体無線通信システムは、
送信機１および受信機２より構成され、基地局，移動局それぞれに設けられる。この移動
体無線通信システムには、たとえばＷ（広域）−ＣＤＭＡ（符号分割多元接続）通信方式
が適用される。
【０１２３】
送信機１は、図８に示したように、制御器１１、誤り訂正符号化器１２、インタリーバ
１３、フレーム化／拡散器１４、無線周波数送信器１５などを備えている。制御器１１は
、主に、受信機２とのネゴシエーションを通じてインタリーバ１３、フレーム化／拡散器
１４および無線周波数送信器１５の動作を制御する。この制御器１１は、受信機２とのネ
ゴシエーションで通常モード（非圧縮モード）、圧縮モードそれぞれに適した動作を制御
する。具体的には、この制御器１１は、フレーム化／拡散器１４に対して、圧縮モード時
に、圧縮モードフレームを送信するための送信タイミングとを指示する。また、この制御
器１１は、無線周波数送信器１５に対して圧縮モードフレームを送信する際に平均送信電
力の増加を指示する。
【０１２４】
誤り訂正符号化器１２は、送信データ列を誤り訂正符号化して符号化データを得る。イ
ンタリーバ１３は、たとえばフェージングにより送信信号の連続するビットが伝送時に失
われた場合等に伝送誤りの影響を最小限化できるようにするため、符号化データに対して
ビット単位で時間的順序の並べ替え（インタリーブ）を行う。このインタリーバ１３は、
１フレーム分のインタリーブを行うためのメモリを有している。
【０１２５】
フレーム化／拡散器１４は、通常モード、圧縮モードそれぞれに応じてユーザ毎の拡散
符号を用いて広帯域に拡散し、各モードに応じたフレームを形成する。このフレーム化／
拡散器１４は、制御器１１から各モードに応じた送信タイミングを指示されると、その送
信タイミングでフレームを無線周波数送信器１５へ送出する。無線周波数送信器１５は、
フレーム化／拡散器１４で得られた送信信号を無線周波数に変換して送信する。この無線
周波数送信器１５は、制御器１１の制御に従って通常モード時に比べて圧縮モード時の平
均送信電力を増加して送信信号を出力する。
【０１２６】
受信機２は、図８に示したように、制御器２１、誤り訂正復号化器２２、デインタリー
バ２３、デフレーム化／逆拡散器２４、無線周波数受信器２５などを備えている。制御器
２１は、主に、送信機１とのネゴシエーションを通じてデインタリーバ２３およびデフレ
ーム化／逆拡散器２４の動作を制御する。この制御器２１は、送信機１とのネゴシエーシ
ョンで通常モード、圧縮モードそれぞれに適した動作を制御する。具体的には、この制御
器２１は、デフレーム化／逆拡散器２４に対して、圧縮モード時に、圧縮モードフレーム
を受信するための受信タイミングとを指示する。
【０１２７】
無線周波数受信器２５は、図示せぬアンテナから送られてくる受信信号を復調する。デ
フレーム化／逆拡散器２４は、通常モード、圧縮モードそれぞれに応じて当該受信機２の
ユーザに割り当てられた拡散符号を用いて逆拡散し、各モードに応じたフレームを形成す
る。このデフレーム化／逆拡散器２４は、制御器２１から各モードに応じた受信タイミン
グを指示されると、その受信タイミングで受信信号を無線周波数受信器２５から取り込む
。
【０１２８】
デインタリーバ２３は、送信機１でのインタリーブとは逆の順序で、符号化データに対
してビット単位で時間的順序の並べ替え（デインタリーブ）を行う。このデインタリーバ
２３は、前述のインタリーバ１３と同様に１フレーム分のインタリーブを行うためのメモ
リを有している。誤り訂正復号化器２２は、デインタリーブされた信号を誤り訂正復号化
して復号化データすなわち受信データ列を得る。
【０１２９】
つぎに、圧縮モードを含むフレーム伝送について説明する。本移動体無線通信システム
では、圧縮モード時に、フレームをスロット化して間欠的に送信する期間を設け、その期
間中の無伝送時間を利用して他の周波数キャリアの強度が測定される。そのためには、ス
ロット化されたフレームを圧縮する必要があるが、通常伝送時と同じようにインタリーブ
を行っていては、インタリーブ時間が十分にとれず、十分なインタリーブ効果を得ること
が不可能となる。
【０１３０】
そこで、１フレーム内で圧縮フレームの送信時間を分割して一方をフレーム枠の先頭に
、他方を同じフレーム枠の末尾に割り当て、所要のインタリーブ対象時間を確保する。す
なわち、観測時間にあたるアイドルスロットがフレーム中央に配置される。受信機２では
、この作業が逆となる。
【０１３１】
ここで、アイドルスロット数と圧縮モードフレームのスロット数との関係について説明
する。１フレームを１６スロットで考え、前半のスロット数をＡ、アイドルスロット数を
Ｂ、後半のスロット数をＣとすると、たとえば、以下の組み合わせが考えられる。すなわ
ち、
（Ａ，Ｂ，Ｃ）＝（７，１，８）／（７，２，７）／（６，３，７）／
（６，４，６）／（５，５，６）／（５，６，５）
である。以上の組み合わせによれば、たとえば、前半，後半のスロット数をそれぞれ７ス
ロット，８スロットとした場合には、フレーム中央の１スロットがアイドルスロットとし
て挿入されることになる。
【０１３２】
アイドルスロットが１フレーム当たり１もしくは２スロットとするように、小さなアイ
ドルスロットが割り当てられる場合には、パンクチャド符号化のみで対応すればよい。そ
の際、アイドルスロットの位置はフレーム中央を基本とするが、前後にずれてもよい。
【０１３３】
このように、小さなアイドルスロットにおいては、前半／後半の圧縮モードフレームお
よびアイドルスロットの位置を適切に定めることにより、ＧＳＭ−ＧＳＭ間の周波数ハン
ドオーバの場合と同等の補足時間性能を引き出すことができる。
【０１３４】
本実施の形態１では、１フレーム内で、アイドルスロットを境に前半と後半に圧縮モー
ドフレームを２分割させている。そこで、１ＵＭＴＳスーパーフレーム内のどのフレーム
に観測時間すなわちアイドルスロットを挿入するか、その挿入位置の決定方法について説
明する。
【０１３５】
まず、１ＵＭＴＳスーパーフレームは１２フレームから構成される。そして、ＧＳＭで
は、１ＧＳＭスーパーフレームは、２６フレームで構成され、かつ、１フレーム当たり８
ＢＰであることから、その期間の合計で２０８ＢＰとなる。また、８ＢＰに相当するアイ
ドルスロットを２回の圧縮モードで観測するので、１回の圧縮モードで観測するのは４Ｂ
Ｐに相当するアイドルスロット長である。以上の関係から、１ＵＭＴＳスーパーフレーム
に対して任意に第１フレームを特定した場合にその第１フレームから第２フレームの位置
を特定するための式を次式（１）に示す。この式（１）は前半のフレーム番号が偶数で、
かつ、後半のフレーム番号が奇数とした場合を示している。式（１）は、
４（２ｎ＋１）＝Ｋ（２０８ＢＰ）／１２
２ｎ＋１＝１３Ｋ／３                          …（１）
となる。式（１）では、前半の圧縮モードで観測できる場所は同一であるが、観測時間長
が８ＢＰの半分の４ＢＰとなっているため、後半の圧縮モードで観測できる４ＢＰ部分が
、前半で欠落した８ＢＰの後半部に相当する４ＢＰを等価的に観測するための関係式を示
している。すなわち、４（２ｎ＋１）は４ＢＰの奇数倍（前半部が偶数であるとき、後半
部は奇数である）を示し、その間隔が、ＵＭＴＳフレーム長のＫ倍となればよいことを示
唆している。ここで、ＵＭＴＳフレーム長をＢＰで表現すると、２０８ＢＰ（ＵＭＴＳス
ーパーフレームのＢＰ数）／１２（ＵＭＴＳスーパーフレームに含まれるＵＭＴＳフレー
ム数）となる。なお、ｎは任意の自然数である。
【０１３６】
上記式（１）を満たすＫ，ｎの組み合わせを求めると、次式（２）のように２種類の組
み合わせが得られる。すなわち、
（Ｋ，ｎ）＝（３，６）／（９，１９）            …（２）
となる。式（２）によれば、第１フレームから３フレーム後のフレームを第２フレームと
すればよく、あるいは、第１フレームから９フレーム後のフレームを第２フレームとすれ
ばよい。たとえば、図７において、フレーム＃２が第１フレームとすれば、フレーム＃５
が第２フレームとなる。
【０１３７】
つぎに、ＵＭＴＳからＧＳＭシステムへの観測および検波を行う際の圧縮モード動作に
ついて説明する。ここでは、圧縮モードについてのみ説明する。図９は圧縮モード時の送
信動作を説明するフローチャートであり、図１０は圧縮モード時の受信動作を説明するフ
ローチャートである。ＵＭＴＳ側となる送信機１による圧縮モードでは（図９参照）、１
フレームでのインタリーブがインタリーバ１３に対して指示され（ステップＳ１０１）、
インタリーバ１３では１フレームでインタリーブが行われる。そして、時間が観測すべき
第１フレームタイミングもしくは第２フレームタイミングの前半，後半のいずれか一方の
タイミングに達すると（ステップＳ１０２）、フレーム化／拡散器１４に対してその送信
タイミングが指示される（ステップＳ１０３）。
【０１３８】
さらに、無線周波数送信器１５に対して平均送信電力の増加が指示され（ステップＳ１
０４）、圧縮モードフレームについては通常モードよりも高い送信電力でフレーム伝送が
行われる。このようにして、１ＵＭＴＳスーパーフレーム内で２回の観測および検波が実
施される。その圧縮モード時には、フレームが間欠的（不連続）に送信される。
【０１３９】
一方、ＵＭＴＳシステム側となる受信機２による圧縮モードでは（図１０参照）、時間
が観測すべき第１フレームタイミングもしくは第２フレームタイミングの前半，後半のい
ずれか一方のタイミングに達すると（ステップＳ１１１）、デフレーム化／逆拡散器２４
に対して受信タイミングが指示される（ステップＳ１１２）。そして、１フレーム分の信
号を受信した後、１フレームによるデインタリーブがデインタリーバ２３に対して指示さ
れ（ステップＳ１１３）、デインタリーバ２３では１フレームでデインタリーブが行われ
る。このようにして、圧縮モード時には、フレームが間欠的（不連続）に受信され、空い
た時間でＧＳＭシステムの信号を観測する。
【０１４０】
以上説明したように、本実施の形態１によれば、ＵＭＴＳと他のシステムとが共存する
場合、ＵＭＴＳのスーパーフレームに対して、そのスーパーフレームを構成する１フレー
ム量の１／２を最大としかつ所定フレーム数間隔で、他のシステムの周波数成分を観測す
るための空き時間を挿入する。これにより、１スーパーフレーム内の１回の観測で周波数
成分を観測する必要がなくなって、フレーム伝送上の誤り訂正符号や拡散率の制約を満た
すことができる。その結果、ＵＭＴＳと他のシステムが共存しても、ＵＭＴＳから他のシ
ステムの周波数成分を確実に観測することができ、その際に、圧縮モードフレームのイン
タリーブ性能の劣化を抑制することができる。
【０１４１】
また、１ＵＭＴＳスーパーフレームにおいて、所定フレーム数間隔をＵＭＴＳと他のシ
ステム間の伝送周期の差により決定するようにしたので、伝送周期の差に応じて異周波数
成分を隈なく観測することが可能である。
【０１４２】
また、アイドルスロット時間をＵＭＴＳのスーパーフレームの単位であるフレームの中
央に配置するようにしたので、インタリーブ効果を確実に取得することが可能である。
【０１４３】
また、ＵＭＴＳのスーパーフレームにおいて複数の空き時間をフレーム別に配置するよ
うにしたので、１スーパーフレーム内に必要な空き時間を確保することが可能である。
【０１４４】
また、複数のアイドルスロット時間の合計をＧＳＭと同等に約６．９ｍｓに設定したの
で、１ＵＭＴＳスーパーフレーム内に、他のシステム間での異周波数観測と同等の空き時
間を確保することが可能である。
【０１４５】
また、アイドルスロット時間が挿入されたフレームについては、圧縮し、かつ、間欠的
に送信するようにしたので、１フレーム期間内に空き時間を挿入しても再現性の高いフレ
ーム伝送を実現することが可能である。
【０１４６】
また、符号化率を上げて圧縮されたフレームを生成するようにしたので、圧縮率が低減
され、より短い系列長の拡散符号の使用数を抑えることが可能である。
【０１４７】
また、圧縮モード時には通常モード時と同じ拡散率で圧縮されたフレームを生成するよ
うにしたので、圧縮されたフレームについて対干渉雑音特性を保持することが可能である
。
【０１４８】
また、圧縮モードフレーム伝送の際に平均送信電力を上げるようにしたので、特性劣化
を最小限に抑えることが可能である。
【０１４９】
実施の形態２．
さて、前述した実施の形態１では、周波数ハンドオーバの際に、１ＵＭＴＳスーパーフ
レーム内で観測時間（約６．９ｍｓ）を２分割して２フレームに分けて観測および検波を
行うようにしていたが、本発明はこれに限定されず、以下に説明する実施の形態２のよう
に、２分割よりも多く観測時間を分割してもよい。第２の実施の形態では、その一例とし
て、４分割を例に挙げる。なお、本実施の形態２は、全体構成を前述した実施の形態１と
同様としており、以下の説明では、動作上の違いについてのみ説明する。
【０１５０】
ここでは、本実施の形態２の観測および検波方法について説明する。図１１は本発明の
実施の形態２による下りリンクのフレーム伝送を説明する図である。図１１において、縦
軸は伝送速度／送信電力を表し、横軸は時間が表されている。前述したように、共通制御
チャネルの１ＦＣＣＨ／ＳＣＨスーパーフレームと２ＵＭＴＳスーパーフレームとの比較
では、１フレーム分の差がある。個別トラフィックチャネルＴＡＣＨ／Ｆでは、１ＧＳＭ
スーパーフレームに割り当てられる観測時間の位置は固定であり、ＵＭＴＳにおいても同
様に、下りトラフィックチャネルにおいて１ＵＭＴＳスーパーフレームに割り当てられる
４回の観測時間の位置は固定である。したがって、毎ＵＭＴＳスーパーフレームの所定フ
レーム（４箇所）において、観測および検波が行われる。このように、ＦＣＣＨ／ＳＣＨ
スーパーフレームと２ＵＭＴＳスーパーフレーム間には１フレームの差があることから、
毎回の観測で１つずつフレームをずらして観測することができる。
【０１５１】
また、１ＦＣＣＨ／ＳＣＨスーパーフレームに対してＵＭＴＳスーパーフレームは２周
期が対応することから、１ＦＣＣＨ／ＳＣＨスーパーフレーム当たり８回の観測および検
波が行われる。すなわち、１ＵＭＴＳスーパーフレーム毎に、一対の観測時間の開きが１
ＵＭＴＳスーパーフレームとなるため、一対の観測は１ＵＭＴＳスーパーフレームの１周
期だけずれた形で進行する。したがって、ＵＭＴＳ−ＧＳＭ間での周波数ハンドオーバで
は、ＦＣＣＨ／ＳＣＨスーパーフレームの１周期当たりに８回、かつ、それぞれの観測で
毎周期１フレームずつずらしながら観測および検波が行われる。
【０１５２】
本実施の形態２でも、前述した実施の形態１と同様に、１フレーム内で、アイドルスロ
ットを境に前半と後半に圧縮モードフレームを２分割させる。そこで、１ＵＭＴＳスーパ
ーフレーム内のどのフレームに観測時間すなわちアイドルスロットを挿入するか、その挿
入位置の決定方法について説明する。
【０１５３】
前述した実施の形態１では、１ＵＭＴＳスーパーフレームが１２フレームから構成され
ていることから、ＵＭＴＳスーパーフレームをフレーム数で割る方法をとっていたが、よ
り細かい時間単位で分割し、アイドルスロットを配する位置を設定してもよい。たとえば
、ＵＭＴＳにおける１フレームは１６スロットで構成されているので、本実施の形態２で
は、スロット数で割る方法をとる。
【０１５４】
以上の理由から、４分割の場合の式を次式（３）に示す。この場合には、観測時間を割
り当てる第１フレーム〜第４フレームが必要となる。この式（３）は第１フレームのフレ
ーム番号を偶数とした場合を示している。式（３）は、第２フレームを求めるための式で
ある。実施の形態１での考え方と同様に、この式（３）は、
２ＢＰ（４ｎ＋１）＝Ｋ１（２０８ＢＰ）／（１２×１６）
４ｎ＋１＝１３Ｋ１／２４  …（３）
となる。式（３）において、Ｋ１はＵＭＴＳスーパーフレームの第２フレームのフレーム
番号を示し、ｎは任意の自然数である。また、（３）式の右辺において、１フレームは１
６スロットのため、分母において１２フレームに掛け合わされる。
【０１５５】
上記式（３）を満たすＫ１，ｎの組み合わせを求めると、次式（４）のように２種類の
組み合わせが得られる。すなわち、
（Ｋ１，ｎ）＝（２４，３）／（１２０，１６）    …（４）
となる。この場合、Ｋ１＝２４はスロット数を表すことから、Ｋ１を１６で割ることで第
２フレームを求めることができる。そこで、Ｋ１＝２４の場合には、１．５フレームとい
う解が得られるので、フレーム番号で表すと、２番目の観測時間が割り当てられるフレー
ムは第１フレームの１．５フレーム後のフレームとなる。
【０１５６】
式（５）は、第３フレームを求めるための式である。この式（５）は、
２（４ｎ＋２）＝Ｋ２（２０８ＢＰ）／１２×１６
２ｎ＋１＝１３Ｋ２／４８                      …（５）
となる。式（５）において、Ｋ２はＵＭＴＳスーパーフレームの第３フレームのフレーム
番号を示し、ｎは任意の自然数である。
【０１５７】
上記式（５）を満たすＫ２，ｎの組み合わせを求めると、次式（６）のように２種類の
組み合わせが得られる。すなわち、
（Ｋ２，ｎ）＝（４８，６）／（１４４，１９）    …（６）
となる。この場合、Ｋ＝４８はスロット数を表すことから、Ｋを１６で割ることで第３フ
レームを求めることができる。そこで、Ｋ＝４８の場合には、３フレームという解が得ら
れるので、フレーム番号で表すと、３番目の観測時間が割り当てられるフレームは第１フ
レームの３フレーム後のフレームとなる。
【０１５８】
式（７）は、第４フレームを求めるための式である。この式（７）は、
２（４ｎ＋３）＝Ｋ３（２０８ＢＰ）／１２×１６
２ｎ＋１＝１３Ｋ３／４８                      …（７）
となる。式（７）において、Ｋ３はＵＭＴＳスーパーフレームの第４フレームのフレーム
番号を示し、ｎは任意の自然数である。
【０１５９】
上記式（７）を満たすＫ３，ｎの組み合わせを求めると、次式（８）のように２種類の
組み合わせが得られる。すなわち、
（Ｋ３，ｎ）＝（７２，９）／（１６８，２２）    …（８）
となる。この場合、Ｋ＝７２はスロット数を表すことから、Ｋを１６で割ることで第４フ
レームを求めることができる。そこで、Ｋ＝７２の場合には、４．５フレームという解が
得られるので、フレーム番号で表すと、４番目の観測時間が割り当てられるフレームは第
１フレームの４．５フレーム後のフレームとなる。
【０１６０】
以上説明したように、本実施の形態２によれば、１ＵＭＴＳスーパーフレーム内での観
測時間の分割数は４分割でもよく、この場合にも、前述した実施の形態１と同様の効果を
得ることができる。ただし、前述した実施の形態１のように分割の間隔は所定フレーム間
隔とはならず、所定スロット数間隔となる。
【０１６１】
実施の形態３．
さて、前述した実施の形態２では、周波数ハンドオーバの際に、１ＵＭＴＳスーパーフ
レーム内で観測時間（約６．９ｍｓ）を４分割して４フレームに分けて観測および検波を
行うようにしていたが、本発明はこれに限定されず、以下に説明する実施の形態３のよう
に、４分割よりも多く観測時間を分割してもよい。第３の実施の形態では、その一例とし
て、８分割を例に挙げる。なお、本実施の形態３は、全体構成を前述した実施の形態１と
同様としており、以下の説明では、動作上の違いについてのみ説明する。
【０１６２】
ここでは、本実施の形態３の観測および検波方法について説明する。図１２は本発明の
実施の形態３による下りリンクのフレーム伝送を説明する図である。図１２において、縦
軸は伝送速度／送信電力を表し、横軸は時間が表されている。前述したように、共通制御
チャネルの１ＦＣＣＨ／ＳＣＨスーパーフレームと２ＵＭＴＳスーパーフレームとの比較
では、１フレーム分の差がある。個別トラフィックチャネルＴＡＣＨ／Ｆでは、１ＧＳＭ
スーパーフレームに割り当てられる観測時間の位置は固定であり、ＵＭＴＳにおいても同
様に、下りトラフィックチャネルにおいて１ＵＭＴＳスーパーフレームに割り当てられる
８回の観測時間の位置は固定である。したがって、毎ＵＭＴＳスーパーフレームの所定フ
レーム（４箇所）において、観測および検波が行われる。このように、ＦＣＣＨ／ＳＣＨ
スーパーフレームと２ＵＭＴＳスーパーフレーム間には１フレームの差があることから、
毎回の観測で１つずつフレームをずらして観測することができる。
【０１６３】
また、１ＦＣＣＨ／ＳＣＨスーパーフレームに対してＵＭＴＳスーパーフレームは２周
期が対応することから、１ＦＣＣＨ／ＳＣＨスーパーフレーム当たり１６回の観測および
検波が行われる。すなわち、１ＵＭＴＳスーパーフレーム毎に、一対の観測時間の開きが
１ＵＭＴＳスーパーフレームとなるため、一対の観測は１ＵＭＴＳスーパーフレームの１
周期だけずれた形で進行する。したがって、ＵＭＴＳ−ＧＳＭ間での周波数ハンドオーバ
では、ＦＣＣＨ／ＳＣＨスーパーフレームの１周期当たりに１６回、かつ、それぞれの観
測で毎周期１フレームずつずらしながら観測および検波が行われる。
【０１６４】
本実施の形態３でも、前述した実施の形態１および２と同様に、１フレーム内で、アイ
ドルスロットを境に前半と後半に圧縮モードフレームを２分割させる。そこで、１ＵＭＴ
Ｓスーパーフレーム内のどのフレームに観測時間すなわちアイドルスロットを挿入するか
、その挿入位置の決定方法について説明する。
【０１６５】
本実施の形態３では前述の実施の形態２と同様に、より細かい時間単位でＵＭＴＳスー
パースレームを分割し、アイドルスロットを配する位置を設定する。
【０１６６】
このように、本実施の形態３によれば、１ＵＭＴＳスーパーフレーム内での観測時間の
分割数は８分割でもよく、この場合にも、前述した実施の形態１と同様の効果を得ること
ができる。ただし、前述した実施の形態１のように分割の間隔は所定フレーム間隔とはな
らず、所定スロット数間隔となる。
【０１６７】
また、以上の実施の形態１〜３においては、観測時間について８分割までの説明をした
が、本発明は、これに限定されず、分割数に応じてスロットよりも小さい単位を基準とす
ることで分割数をさらに増やすようにしてもよい。
【０１６８】
以上、本発明を上記実施の形態により説明したが、この発明の主旨の範囲内で種々の変
形が可能であり、これらをこの発明の範囲から排除するものではない。
【図面の簡単な説明】
【０１６９】
【図１】ＧＳＭシステムに適用されるフレームフォーマットを示し、同図（ａ）は個別トラフィックチャネルのフレームフォーマットを説明する図であり、同図（ｂ）は共通制御チャネルのフレームフォーマットを説明する図である。
【図２】ＧＳＭシステムに適用されるＧＳＭスーパーフレームの観測時間を説明する図である。
【図３】ＧＳＭ−ＧＳＭ間における異周波数成分の観測方法を示し、同図（ａ）は共通制御チャネルのフレームフォーマットを説明する図であり、同図（ｂ）は共通制御チャネルとの関係で個別トラフィックチャネルのフレームフォーマットを説明する図であり、同図（ｃ）はＧＳＭスーパーフレーム毎に挿入される観測時間を説明する図である。
【図４】ＧＳＭシステムにおける観測方法を説明する図である。
【図５】ＵＭＴＳに適用されるフレームフォーマットを示し、同図（ａ）はＧＳＭシステムに適用される個別トラフィックチャネルのフレームフォーマットを説明する図であり、同図（ｂ）はＵＭＴＳのスーパーフレームのフォーマットを説明する図である。
【図６】ＧＳＭ−ＵＭＴＳ間における異周波数成分の観測方法を示し、同図（ａ）はＧＳＭシステムに適用される共通制御チャネルのフレームフォーマットを説明する図であり、同図（ｂ）はＵＭＴＳとＧＳＭシステム間のスーパーフレームの関係を説明する図であり、同図（ｃ）はＵＭＴＳにおいてスーパーフレーム毎に挿入される観測時間を説明する図である。
【図７】本発明にかかる実施の形態１による下りリンクのフレーム伝送を説明する図である。
【図８】本発明にかかる実施の形態１による移動体無線通信システムを示すブロック図である。
【図９】本発明にかかる実施の形態１による圧縮モード時の送信動作を説明するフローチャートである。
【図１０】本発明にかかる実施の形態１による圧縮モード時の受信動作を説明するフローチャートである。
【図１１】本発明にかかる実施の形態２による下りリンクのフレーム伝送を説明する図である。
【図１２】本発明にかかる実施の形態３による下りリンクのフレーム伝送を説明する図である。
【図１３】従来における下りリンクのフレーム伝送を説明する図である。
【符号の説明】
【０１７０】
１  送信機
２  受信機
１１  制御器
１２  誤り訂正符号化器
１３  インタリーバ
１４  フレーム化／拡散器
１５  無線周波数送信器
２１  制御器
２２  誤り訂正復号化器
２３  デインタリーバ
２４  デフレーム化／逆拡散器
２５  無線周波数受信器
【図１】
2008104212.tif 000003
【図２】
2008104212.tif 000004
【図３】
2008104212.tif 000005
【図４】
2008104212.tif 000006
【図５】
2008104212.tif 000007
【図６】
2008104212.tif 000008
【図７】
2008104212.tif 000009
【図８】
2008104212.tif 000010
【図９】
2008104212.tif 000011
【図１０】
2008104212.tif 000012
【図１１】
2008104212.tif 000013
【図１２】
2008104212.tif 000014
【図１３】
2008104212.tif 000015
【手続補正書】
【提出日】平成20年3月11日(2008.3.11)
【手続補正１】
【補正対象書類名】特許請求の範囲
【補正対象項目名】全文
【補正方法】変更
【補正の内容】
【特許請求の範囲】
【請求項１】
第１のフレーム長Ｌ１を持つ第１のフレームを第１の特定数伝送するために要する期間を第１の伝送周期とし、前記第１の伝送周期を単位として前記第１のフレームを送信する送信機と、該送信機が送信する前記第１のフレームを受信する受信機と、を備えたＣＤＭＡ（Code  Division  Multiple  Access）方式の第１の通信システムと、
第２のフレーム長Ｌ２を持つ第２のフレームを第２の特定数伝送するために要する期間であり前記第１の伝送周期の整数倍でない期間、を第２の伝送周期とする通信方式でフレーム伝送を行う第２の通信システムと、
が共存する移動体無線通信システムにおける前記第１の通信システムが採用する移動体無線通信方法において、
前記送信機が、前記第１の伝送周期内の複数の前記第１のフレームを圧縮することにより前記第１の伝送周期内に複数の無伝送時間を設け、一の無伝送時間と他の無伝送時間との対応する部分同士の間隔である無伝送時間間隔が前記第２のフレーム長Ｌ２を所定の偶数で除した値に奇数を乗じた値に相当するように前記無伝送時間間隔を決定し、該決定した無伝送時間間隔で無伝送時間を配置した前記第１のフレーム、を送信する送信ステップと、
前記受信機が、前記送信機が送信した第１のフレームを受信する受信ステップと、
前記受信機が、前記無伝送時間中に、前記第２の通信システムの制御データ伝送チャネルを観測する観測ステップと、
を備え、
前記第１の通信システムの送信機が圧縮した第１のフレームの一は２分割され、一方を当該フレームタイミングの先頭に、他方を当該フレームタイミングの末尾に割り当てられることを特徴とする移動体無線通信方法。
【請求項２】
前記送信ステップにおいて、前記送信機は、前記第１の伝送周期内に前記第１のフレーム長Ｌ１の１／２以下の長さを持つＰ個（Ｐは偶数）の無伝送時間を設けるとともに前記無伝送時間間隔が（Ｌ２／Ｐ）×（Ｐ×ｎ＋１）（ｎは自然数）に最も近くなるように前記無伝送時間間隔を決定し、該決定した無伝送時間間隔で無伝送時間を配置した前記第１のフレームを送信することを特徴とする請求項１に記載の移動体無線通信方法。
【請求項３】
第１のフレーム長Ｌ１を持つ第１のフレームを第１の特定数伝送するために要する期間を第１の伝送周期とし、前記第１の伝送周期を単位として前記第１のフレームを送信する送信機と、該送信機が送信する前記第１フレームを受信する受信機と、を備えたＣＤＭＡ（Code  Division  Multiple  Access）方式の第１の通信システムと、
第２のフレーム長Ｌ２を持つ第２のフレームを第２の特定数伝送するために要する期間であり前記第１の伝送周期の整数倍でない期間、を第２の伝送周期とする通信方式でフレーム伝送を行う第２の通信システムと、
が共存する移動体無線通信システムにおける前記第１の通信システムの送信機が採用する移動体無線通信方法において、
前記第１の伝送周期内の複数の前記第１のフレームを圧縮することにより前記第１の伝送周期内に複数の無伝送時間を設け、一の無伝送時間と他の無伝送時間との対応する部分同士の間隔である無伝送時間間隔が前記第２のフレーム長Ｌ２を所定の偶数で除した値に奇数を乗じた値に相当するように前記無伝送時間間隔を前記スロット数単位で決定し、該決定した無伝送時間間隔で無伝送時間を配置した前記第１のフレームを、前記無伝送時間中に前記第２の通信システムの制御データ伝送チャネルを観測する前記第１の通信システムの受信機に送信する送信ステップ、を備え、
前記当該送信機が圧縮した第１のフレームの一は２分割され、一方を当該フレームタイミングの先頭に、他方を当該フレームタイミングの末尾に割り当てられることを特徴とする移動体無線通信方法。
【請求項４】
前記送信ステップにおいて、前記第１の伝送周期内に前記第１のフレーム長Ｌ１の１／２以下の長さを持つＰ個（Ｐは偶数）の前記無伝送時間を設けるとともに前記無伝送時間間隔が（Ｌ２／Ｐ）×（Ｐ×ｎ＋１）（ｎは自然数）に最も近くなるように前記無伝送時間間隔を決定し、該決定した無伝送時間間隔で無伝送時間を配置して前記第１のフレームを送信することを特徴とする請求項３に記載の移動体無線通信方法。
【請求項５】
第１のフレーム長Ｌ１を持つ第１のフレームを第１の特定数伝送するために要する期間を第１の伝送周期とし、前記第１の伝送周期を単位として前記第１のフレームを送信する送信機と、該送信機が送信する前記第１のフレームを受信する受信機と、を備えたＣＤＭＡ（Code  Division  Multiple  Access）方式の第１の通信システムと、
第２のフレーム長Ｌ２を持つ第２のフレームを第２の特定数伝送するために要する期間であり前記第１の伝送周期の整数倍でない期間、を第２の伝送周期とする通信方式でフレーム伝送を行う第２の通信システムと、
が共存する移動体無線通信システムにおける前記第１の通信システムにおいて、
前記送信機は、
前記第１の伝送周期内の複数の前記第１のフレームを圧縮することにより前記第１の伝送周期内に複数の無伝送時間を設け、一の無伝送時間と他の無伝送時間との対応する部分同士の間隔である無伝送時間間隔が前記第２のフレーム長Ｌ２を所定の偶数で除した値に奇数を乗じた値に相当するように前記無伝送時間間隔を前記スロット数単位で決定し、該決定した無伝送時間間隔で無伝送時間を配置した前記第１のフレーム、を送信する送信手段、
を備え、
前記受信機は、
前記送信機が送信した第１のフレームを受信する受信手段と、
前記無伝送時間中に、前記第２の通信システムの制御データ伝送チャネルを観測する観測手段と、
を備え、
前記送信機が圧縮した第１のフレームの一は２分割され、一方を当該フレームタイミングの先頭に、他方を当該フレームタイミングの末尾に割り当てられることを特徴とする通信システム。
【請求項６】
前記送信機は、前記第１の伝送周期内に前記第１のフレーム長Ｌ１の１／２以下の長さを持つＰ個（Ｐは偶数）の無伝送時間を設けるとともに前記無伝送時間間隔が（Ｌ２／Ｐ）×（Ｐ×ｎ＋１）（ｎは自然数）に最も近くなるように前記無伝送時間間隔を決定し、該決定した無伝送時間間隔で無伝送時間を配置した前記第１のフレームを送信する送信手段、
を備えることを特徴とする請求項５に記載の通信システム。
【請求項７】
第１のフレーム長Ｌ１を持つ第１のフレームを第１の特定数伝送するために要する期間を第１の伝送周期とし、前記第１の伝送周期を単位として前記第１のフレームを送信する送信機と、該送信機が送信する前記第１フレームを受信する受信機と、を備えたＣＤＭＡ（Code  Division  Multiple  Access）方式の第１の通信システムと、
第２のフレーム長Ｌ２を持つ第２のフレームを第２の特定数伝送するために要する期間であり前記第１の伝送周期の整数倍でない期間、を第２の伝送周期とする通信方式でフレーム伝送を行う第２の通信システムと、
が共存する移動体無線通信システムにおける前記第１の通信システムの送信機において、
前記第１の伝送周期内の複数の前記第１のフレームを圧縮することにより前記第１の伝送周期内に複数の無伝送時間を設け、一の無伝送時間と他の無伝送時間との対応する部分同士の間隔である無伝送時間間隔が前記第２のフレーム長Ｌ２を所定の偶数で除した値に奇数を乗じた値に相当するように前記無伝送時間間隔を前記スロット数単位で決定し、該決定した無伝送時間間隔で無伝送時間を配置した前記第１のフレームを、前記無伝送時間中に前記第２の通信システムの制御データ伝送チャネルを観測する前記受信機に送信する送信手段、
を備え、
前記圧縮した第１のフレームの一は２分割され、一方を当該フレームタイミングの先頭に、他方を当該フレームタイミングの末尾に割り当てられることを特徴とする送信機。
【請求項８】
前記送信手段は、前記第１の伝送周期内に前記第１のフレーム長Ｌ１の１／２以下の長さを持つＰ個（Ｐは偶数）の前記無伝送時間を設けるとともに前記無伝送時間間隔が（Ｌ２／Ｐ）×（Ｐ×ｎ＋１）（ｎは自然数）に最も近くなるように前記無伝送時間間隔を決定し、該決定した無伝送時間間隔で無伝送時間を配置して前記第１のフレームを送信することを特徴とする請求項７に記載の送信機。